【事件の表示】
　特許第２７１３１８４号「カラー液晶表示装置」の請求項１ないし１６に係る特許に対する特許異議の申立てについて、次のとおり決定する。
【結論】
　訂正を認める。
　特許第２７１３１８４号の請求項１ないし１５に係る特許を維持する。
【理由】
（１）手続きの経緯
　本件特許第２７１３１８４号は平成６年９月２９日に出願され、平成９年１０月３１日に設定登録され、その後、セイコーエプソン株式会社より特許異議の申立てがなされ、取消理由通知がなされ、その指定期間内である平成１１年１月１２日に訂正請求がなされ、訂正拒絶理由通知がなされその指定期間内である平成１１年５月６日に訂正請求の補正がなされたものである。
（２）訂正請求の補正についての判断
　訂正請求の補正の内容は、特許請求の範囲の減縮を目的として、特許請求の範囲の請求項１６を削除するものであり、訂正請求の補正の要件を満足するので、これを認める。
（３）訂正の適否についての判断
　▲１▼訂正の内容
　訂正請求の内容は、特許請求の範囲の請求項１及び請求項３、
「１　内面に電極が形成された一対の基板間に液晶分子がツイスト配向したネマティック液晶層を設けてなる液晶セルと、前記液晶セルをはさんでその表面側と裏面側とに配置された一対の偏光板と、前記一対の偏光板の間に配置された位相差板とを備え、かつ、前記位相差板は、その遅相軸であるＸ軸方向の屈折率ｎｘと、ｙ軸方向の屈折率ｎｙ、及びｚ軸方向の屈折率ｎｚとがｎｘ＞ｎｚ＞ｎｙの関係にある二軸性位相差板であって、前記二軸性位相差板は、その遅相軸をこれに隣接する一方の偏光板の透過軸に対してこの偏光板を透過して前記二軸性位相差板に入射する直線偏光を各波長光毎に偏光状態の異なる楕円偏光として出射させる角度で交差する方向に向けて配置され、前記液晶セルは、その基板近傍の液晶分子の配向方向をその基板に隣接する前記二軸性位相差板の遅相軸に対して前記二軸性位相差板を出射した前記楕円偏光の各波長光毎の偏光状態をさらに変化させる角度で交差する方向に向けて配置され、他方の偏光板は、その透過軸をこの偏光板の透過光を構成する各波長光の光量比が所望の着色光に対応した比率となる方向に向けて配置されていることを特徴とするカラー液晶表示装置。
　３　液晶セルの裏面側に配置された裏側偏光板の背後に反射板が配置されており、液晶セルの表面側に配置された表側偏光板と前記液晶セルとの間と、液晶セルの裏面側に配置された裏側偏光板と前記液晶セルとの間とに、それぞれ１枚ずつ二軸性位相差板が配置されるとともに、少なくとも、前記表側偏光板の透過軸と、この偏光板に隣接する位相差板の遅相軸とが、所定角度斜めにずれていることを特徴とする請求項１に記載のカラー液晶表示装置。」
を、
「１　内面に電極が形成された一対の基板間に液晶分子がツイスト配向したネマティック液晶層を設けてなる液晶セルと、前記液晶セルをはさんでその表面側と裏面側とに配置された一対の偏光板と、前記一対の偏光板の間に配置された位相差板とを備え、かつ、前記位相差板は、その遅相軸であるｘ軸方向の屈折率ｎｘと、ｙ軸方向の屈折率ｎｙ、及びｚ軸方向の屈折率ｎｚとがｎｘ＞ｎｚ＞ｎｙの関係にある二軸性位相差板であって、前記二軸性位相差板は、その遅相軸をこれに隣接する一方の偏光板の透過軸に対してこの偏光板を透過して前記二軸性位相差板に入射する直線偏光を各波長光毎に偏光状態の異なる楕円偏光として出射させる角度で交差する方向に向けて配置され、前記液晶セルは、その基板近傍の液晶分子の配向方向をその基板に隣接する前記二軸性位相差板の遅相軸に対して前記二軸性位相差板を出射した前記楕円偏光の各波長光毎の偏光状態をさらに変化させる角度で交差する方向に向けて配置され、他方の偏光板は、その透過軸をこの偏光板の透過光を構成する各波長光の光量比が、印加された電圧に応じて変化する少なくとも３つの着色光にそれぞれ対応した比率となる方向に向けて配置されていることを特徴とするカラー液晶表示装置。
　３　液晶セルの裏面側に配置された裏側偏光板の背後に反射板が配置されており、液晶セルの表面側に配置された表側偏光板と前記液晶セルとの間と、液晶セルの裏面側に配置された裏側偏光板と前記液晶セルとの間に、それぞれ１枚ずつ二軸性位相差板が配置されるとともに、少なくとも、前記表側偏光板の透過軸と、この偏光板に隣接する位相差板の遅相軸とが、所定角度斜めにずれていることを特徴とする請求項１に記載のカラー液晶表示装置。」
と訂正し、請求項１６を削除し、明細書の記載もこれに合わせて訂正するものである。
▲２▼訂正の目的の適否、新規事項の有無及び拡張・変更の存否
　請求項１の訂正は、「所望の着色光に対応した」を「印加された電圧に応じて変化する少なくとも３つの着色光にそれぞれ対応した」と限定するものであるから、特許請求の範囲の減縮を目的とするものであり、請求項３の訂正は、誤記の訂正を目的とするものであり、請求項１６の訂正は、特許請求の範囲の減縮を目的とするものである。また、明細書の訂正は、特許請求の範囲の訂正に従って対応箇所を訂正するものであって、不明瞭な記載の釈明を目的としており、共に、新規事項の追加には該当せず、実質的に特許請求の範囲を拡張・変更するものではない。
　以下、訂正明細書の請求項１に記載された発明（以下、訂正発明１という。）の独立特許要件について検討する。
▲３▼独立特許要件について
（引用例）
　取消理由通知に示した、本件出願前公知の刊行物である特開平４ー６５１９号公報（以下、第１引用例という。）には、
「種々の波長および種々の振動方向の光成分を含む光を発生する光源と、偏光軸に沿う振動方向の光成分を通過させて直線偏光を生じさせる第１の偏光板と、波長毎に楕円形状および大きさが異なる楕円偏光を生じさせる液晶板と、直角方向に振動する直線偏光成分間に位相差を与えて楕円偏光の楕円形状および大きさを変化させる位相差板と、偏光軸に沿う振動方向の楕円偏光の光成分を通過させてその振動方向の強度が大きい波長の楕円偏光による色を生じさせる第２の偏光板と、前記液晶板に表示データを与えて所定の情報をカラー表示させる液晶表示回路とを具備しており、前記光源に対し第１の偏光板を対向させると共に、第１の偏光板と第２の偏光板との間に液晶板および位相差板を積層して配置してなる液晶カラー表示装置。」（特許請求の範囲第１項）、
「この発明は、・・・背景の色と文字などの対象物の色との組み合わせを種々に設定可能であり、しかもコントラストが最適となるような２色の組み合わせを選択できる液晶カラー表示装置を提供することを目的とする。またこの発明が他に目的とするところは、カラーフィルタを用いずに少なくとも４色のカラー表示を可能とした液晶カラー表示装置を提供する点にある。」（公報第３頁右上欄第２行〜１１行目）、
「図示例の液晶カラー表示装置２０は、二枚の液晶板２７、２８が中間に位置し、その裏面側（同図では下側）に第１の偏光板２９と第１の位相差板３０とが積層配置され、表面側（同図では上側）に第２の偏光板３１と第２の位相差板３２とが積層配置される。」（公報第４頁左下欄第１６行〜右下欄第１行）、
「この自然光ａを第１の偏光板２９へ入射させると、第１の偏光板２９は偏光軸３５に沿う振動方向の光成分のみを透過させて直線偏光ｂを生じさせる。第１、第２の各位相差板３０、３２は、直角方向に振動する直線偏光成分間に位相差板を与える機能を有するものであるが、第１の位相差板３０には前記直線偏光ｂを入射させて波長毎に楕円形状及び大きさが異なる楕円偏光ｃを生じさせ、第２の位相差板３２には後記する楕円偏光ｅを入射させて楕円形状及び大きさが変化した楕円偏光ｆを生じさせている。」（公報第４頁右下欄第１１行〜第５頁左上欄第２行）、
「各ガラス板には直交する方向に透明の共通電極および画素電極（図示せず）が設けてあり、これら電極に対し液晶４１、４２が電界反応するだけの電圧をオン・オフさせて液晶４１、４２を画素単位で反応作用させる。これら液晶板２７、２８として、液晶分子のねじれ角が１８０°〜２７０°のスーパーツイストネマティック型のものを用いており、直線偏光を入射させれば、波長毎に楕円形状および大きさが異なる楕円偏光を生じさせ、また楕円偏光を入射させれば、直角方向に振動する直線偏光成分間に位相差が与えられて、楕円偏光の楕円形状及び大きを変化させる。」（公報第５頁右上欄第１行〜１４行）、
「上記実施例では、２個の液晶板２７、２８を用いているが、異なる色彩領域を分割設定する必要がなければ、第２の液晶板２８を用いる必要がないことは勿論である。」（公報第７頁右上欄第４行〜第７行）と記載されている。
　また、同じく特開平２−２６４９１９号公報（以下、第２引用例という。）には、
「本発明では、液晶層と偏光板との間の両側に、３個の主屈折率を、ｎｘ、ｎｙ、ｎｚとし、ｎｘ、ｎｙを複屈折板面内方向の屈折率とし、（ｎｘ＞ｎｙ）、ｎｚを複屈折板の厚み方向の屈折率とした場合、ｎｘ＞ｎｚ＞ｎｙとなるような関係を有する複屈折板を配置したものである。このため、・・・斜め方向から見た場合の表示の品位の劣化が少なく、視野角の広い白黒表示の液晶表示素子が容易に得られる。この液晶層は従来のスーパーツイスト液晶表示素子の液晶層と同じ構成の液晶層であり、電極群が対向しており、これにより各ドット毎にオンオフを制御可能とされる。この液晶層のツイスト角は約１６０°〜３００°とされる。」（公報第２頁左下欄第１７行〜第３頁左上欄第１４行）、
「また、表示が白黒に近く、かつ、広視野ということから、カラーフィルターと組み合わせることにより、カラフルな表示が可能となり、・・・マルチカラーやフルカラーの表示も実現できる・・・透過型のみならず、反射型の表示も可能であり、その応用範囲が広いものである。」（第９頁右上欄第８行〜第１８行）と記載されている。
（対比・判断）
　訂正発明１と第１引用例及び第２引用例に記載された発明とを対比すると、両引用例には、訂正発明１の構成要件である、
「他方の偏光板は、その透過軸をこの偏光板の透過光を構成する各波長光の光量比が、印加された電圧に応じて変化する少なくとも３つの着色光にそれぞれ対応した比率となる方向に向けて配置されている」点について記載されていないし、示唆されてもいない。
　すなわち、第１引用例に記載された発明は、「電極に対し液晶が電界反応するだけの電圧をオン・オフさせて、液晶を画素単位で反応作用させ、コントラストが最適となるような２色の組み合わせを選択できる液晶カラー表示装置」とするものであり、２枚の液晶板により４色表示を行っているが、１枚の液晶板では２色しか表示し得ないものであり、また、第２引用例に記載された発明は、カラーフィルターと組み合わせることにより、カラフルな表示が可能となるが、そもそも白黒表示の液晶表示素子に関するものであり、両者を如何に組み合わせても、他方の偏光板の配置を、印加された電圧に応じて少なくとも３つの着色光が表示されるような配置とする構成は想到し得ないものと認められる。
　よって、訂正発明１が、第１引用例及び第２引用例に記載された発明に基づいて容易に発明をすることができたものである、とすることはできない。
　したがって、訂正発明１は特許出願の際独立して特許を受けることができないものである、とすることはできない。
▲４▼結論
　以上のとおりであるから、本件訂正請求は、特許法等の一部を改正する法律（平成６年法律第１１６号）附則第６条第１項の規定によりなお従前の例によるとされる、特許法第１２０条の４第２項及び同条第３項で準用する第１２６条第２項乃至第４項の規定に適合するので、当該訂正を認める。
（４）特許異議申立について
（本件発明）
　本件特許第２７１３１８４号の請求項１乃至請求項１５に係る発明は、訂正された特許明細書及び図面の記載からみて、その特許請求の範囲の請求項１乃至請求項１５に記載された次のとおりのものと認める。
「１　内面に電極が形成された一対の基板間に液晶分子がツイスト配向したネマティック液晶層を設けてなる液晶セルと、前記液晶セルをはさんでその表面側と裏面側とに配置された一対の偏光板と、前記一対の偏光板の間に配置された位相差板とを備え、かつ、前記位相差板は、その遅相軸であるｘ軸方向の屈折率ｎｘと、ｙ軸方向の屈折率ｎｙ、及びＺ軸方向の屈折率ｎｚとがｎｘ＞ｎｚ＞ｎｙの関係にある二軸性位相差板であって、前記二軸性位相差板は、その遅相軸をこれに隣接する一方の偏光板の透過軸に対してこの偏光板を透過して前記二軸性位相差板に入射する直線偏光を各波長光毎に偏光状態の異なる楕円偏光として出射させる角度で交差する方向に向けて配置され、前記液晶セルは、その基板近傍の液晶分子の配向方向をその基板に隣接する前記二軸性位相差板の遅相軸に対して前記二軸性位相差板を出射した前記楕円偏光の各波長光毎の偏光状態をさらに変化させる角度で交差する方向に向けて配置され、他方の偏光板は、その透過軸をこの偏光板の透過光を構成する各波長先の光量比が、印加された電圧に応じて変化する少なくとも３つの着色光にそれぞれ対応した比率となる方向に向けて配置されていることを特徴とするカラー液晶表示装置。
　２　液晶セルの裏面側に配置された表側偏光板の背後に反射板が配置されており、液晶セルの表面側に配置された表側偏光板と前記液晶セルとの間に１枚の二軸性位相差板が配置されるとともに、少なくとも、前記表側偏光板の透過軸と、前記位相差板の遅相軸とが、所定角度斜めにずれていることを特徴とする請求項１に記載のカラー液晶表示装置。
　３　液晶セルの裏面側に配置された表側偏光板の背後に反射板が配置されており、液晶セルの表面側に配置された表側偏光板と前記液晶セルとの間と、液晶セルの裏面側に配置された裏側偏光板と前記液晶セルとの間とに、それぞれ１枚ずつ二軸性位相差板が配置されるとともに、少なくとも、前記表側偏光板の透過軸と、この偏光板に隣接する位相差板の遅相軸とが、所定角度斜めにずれていることを特徴とする請求項１に記載のカラー液晶表示装置。
　３　液晶セルの裏面側に配置された裏側偏光板の背後に反射板が配置されており、液晶セルの表面側に配置された表側偏光板と前記液晶セルとの間と、液晶セルの裏面側に配置された裏側偏光板と前記液晶セルとの間に、それぞれ１枚ずつ二軸性位相差板が配置されるとともに、少なくとも、前記表側偏光板の透過軸と、この偏光板に隣接する位相差板の遅相軸とが、所定角度斜めにずれていることを特徴とする請求項１に記載のカラー液晶表示装置。
　４　液晶セルの裏面側に配置された表側偏光板の背後に反射板が配置されており、液晶セルの表面側に配置された表側偏光板と前記液晶セルとの間に、２枚の二軸性位相差板が互いに重ねて配置されるとともに、少なくとも、前記表側偏光板の透過軸と、前記２枚の位相差板のうちの前記表側偏光板に隣接する位相差板の遅相軸とが、所定角度斜めにずれていることを特徴とする請求項１に記載のカラー液晶表示装置。
　５　液晶セルの液晶分子のツイスト角は８０゜〜１１０°であることを特徴とする請求項１〜請求項４のいずれか１つに記載のカラー液晶表示装置。
　６　液品セルの液晶分子のツイスト角は１１０゜〜１３０°であることを特徴とする請求項１〜請求項４のいずれか１つに記載のカラー液晶表示装置。
　７　液品セルの液晶分子のツイスト角は１８０°〜２７０°であることを特徴とする請求項１〜請求項４のいずれか１つに記載のカラー液晶表示装置。
　８　液晶セルの液晶分子のツイスト角は８０゜〜１１０゜であり、前記液晶セルの液晶の屈折率異方性△ｎと液晶層厚ｄとの積△ｎ・ｄの値が５２０ｎｍ〜５８０ｎｍ、位相差板のリタデーションの値が４００ｎｍ〜４６０ｎｍであることを特徴とする請求項２に記載のカラー液晶表示装置。
　９　液晶セルの液晶分子のツイスト角は１１０゜〜１３０゜であり、前記液晶セルの液晶の屈折率異方性△ｎと液晶層厚ｄとの積△ｎ・ｄの値が８８０ｎｍ〜９７０ｎｍ、位相差板のリタデーションの値が１２７０ｎｍ〜１５３０ｎｍであることを特徴とする請求項２に記載のカラー液晶表示装置。
　１０　液晶セルの液晶分子のツイスト角は１８０゜〜２７０゜であり、前記液晶セルの液晶の屈折率異方性△ｎと液晶層厚ｄとの積△ｎ・ｄの値が８５０ｎｍ〜９１０ｎｍ、位相差板のリタデーションの値が４００ｎｍ〜４６０ｎｍであることを特徴とする請求項２に記載のカラー液晶表示装置。
　１１　液晶セルの液晶分子のツイスト角は１８０゜〜２７０゜であり、前記液晶セルの液晶の屈折率異方性△ｎと液晶層厚ｄとの積△ｎ・ｄの値が１２５０ｎｍ〜１４５０ｎｍ、表側偏光板に隣接する位相差板のリタデーションの値が１２５０ｎｍ〜１６３０ｎｍ、裏側偏光板に隣接する位相差板のリタデーションの値が１５７０ｎｍ〜１６３０ｎｍであることを特徴とする請求項３に記載のカラー液晶表示装置。
　１２　液晶セルの液晶分子のツイスト角は１８０゜〜２７０゜であり、前記液晶セルの液晶の屈折率異方性△ｎと液晶層厚ｄとの積△ｎ・ｄの値が１２５０ｎｍ〜１４５０ｎｍ、表側偏光板に隣接する位相差板のリタデーションの値が１５７０ｎｍ〜１６３０ｎｍ、裏側偏光板に隣接する位相差板のリタデーションの値が１５２０ｎｍ〜１５８０ｎｍであることを特徴とする請求項４に記載のカラー液晶表示装置。
　１３　液晶セルの液晶分子のツイスト角は１８０゜〜２７０゜であり、前記液晶セルの液晶の屈折率異方性△ｎと液晶層厚ｄとの積△ｎ・ｄの値が１４９０ｎｍ以上であることを特徴とする請求項４に記載のカラー液晶表示装置。
　１４　液晶セルの△ｎ・ｄの値が１４９０ｎｍ〜１５９０ｎｍ、表側偏光板に隣接する位相差板のリタデーションの値が１５７０ｎｍ〜１６３０ｎｍ、液晶セルに隣接する位相差板のリタデーションの値が１４２０ｎｍ〜１４８０ｎｍであることを特徴とする請求項１３に記載のカラー液晶表示装置。
　１５　前記液晶セルの△ｎ・ｄの値が１５３０ｎｍ〜１７３０ｎｍ、表側偏光板に隣接する位相差板のリタデーションの値が１５７０ｎｍ〜１６３０ｎｍ、液晶セルに隣接する位相差板のリタデーションの値が１５２０ｎｍ〜１５８０ｎｍであることを特徴とする請求項１３に記載のカラー液晶表示装置。」
（特許異議申立人の主張の概要）
　これに対して、特許異議申立人セイコーエプソン株式会社は、甲第１号証として特開平４−６５１９号公報、甲第２号証として特開平２−２６４９１９号公報を提示して、本件発明は、甲第１号及び甲第２号証に記載された発明に基づいて当者が容易になし得た発明であるから、特許法第９条第２項の規定により特許を受けることができないものである、旨主張している。
（引用例）
　特許異議申立人の提示した甲第１号証及び甲第２号証は、取消理由で通知した第１引用例及び第２引用例であるから、上記（３）▲３▼（引用例）において記載した発明が記載されている。
（対比・判断）
　本件請求項１に係る発明と甲各号証に記載された発明とを対比・判断すると、上記（３）▲３▼（対比・判断）において記載した理由により、本件請求項１に係る発明が、特許異議申立人の提示した甲第１号証及び甲第２号証に記載された発明に基づいて容易に発明をすることができだものである、とすることはできない。
　また、本件請求項２乃至請求項１５に係る発明は、請求項１に係る発明の構成要件をすべて含み、さらに構成要件を付加したものであるから、請求項１に係る発明と同様に、特許異議申立人の提示した甲第１号証及び甲第２号証に記載された発明に基づいて容易に発明をすることができたものである、とすることはできない。
（むすび）
　以上のとおりであるから、特許異議の申立ての理由及び証拠によっては、本件の請求項１乃至請求項１５に係る発明の特許を取り消すことはできない。
　また、他に本件の請求項１乃至請求項１５に係る発明の特許を取り消すべき理由を発見しない。
　よって、結論のとおり決定する。
【異議決定日】
平成１１年６月２４日（１９９９．６．２４）
【訂正の要旨】
１．訂正事項１
　特許請求の範囲の減縮を目的として、特許請求の範囲の請求項１及び請求項３、
「１　内面に電極が形成された一対の基板間に液晶分子がツイスト配向したネマティック液晶層を設けてなる液晶セルと、前記液晶セルをはさんでその表面側と裏面側とに配置された一対の偏光板と、前記一対の偏光板の間に配置された位相差板とを備え、かつ、前記位相差板は、その遅相軸であるｘ軸方向の屈折率ｎｘと、ｙ軸方向の屈折率ｎｙ、及びｚ軸方向の屈折率ｎｚとがｎｘ＞ｎｚ＞ｎｙの関係にある二軸性位相差板であって、前記二軸性位相差板は、その遅相軸をこれに隣接する一方の偏光板の透過軸に対してこの偏光板を透過して前記二軸性位相差板に入射する直線偏光を各波長光毎に偏光状態の異なる楕円偏光として出射させる角度で交差する方向に向けて配置され、前記液晶セルは、その基板近傍の液晶分子の配向方向をその基板に隣接する前記二軸性位相差板の遅相軸に対して前記二軸性位相差板を出射した前記楕円偏光の各波長光毎の偏光状態をさらに変化させる角度で交差する方向に向けて配置され、他方の偏光板は、その透過軸をこの偏光板の透過光を構成する各波長光の光量比が所望の着色光に対応した比率となる方向に向けて配置されていることを特徴とするカラー液晶表示装置。
　３　液晶セルの裏面側に配置された裏側偏光板の背後に反射板が配置されており、液晶セルの表面側に配置された表側偏光板と前記液晶セルとの間と、液晶セルの裏面側に配置された裏側偏光板と前記液晶セルとの間とに、それぞれ１枚ずつ二軸性位相差板が配置されるとともに、少なくとも、前記表側偏光板の透過軸と、この偏光板に隣接する位相差板の遅相軸とが、所定角度斜めにずれていることを特徴とする請求項１に記載のカラー液晶表示装置。」
を、
「１　内面に電極が形成された一対の基板間に液晶分子がツイスト配向したネマティック液晶層を設けてなる液晶セルと、前記液晶セルをはさんでその表面側と裏面側とに配置された一対の偏光板と、前記一対の偏光板の間に配置された位相差板とを備え、かつ、前記位相差板は、その遅相軸であるｘ軸方向の屈折率ｎｘと、ｙ軸方向の屈折率ｎｙ、及びｚ軸方向の屈折率ｎｚとがｎｘ＞ｎｚ＞ｎｙの関係にある二軸性位相差板であって、前記二軸性位相差板は、その遅相軸をこれに隣接する一方の偏光板の透過軸に対してこの偏光板を透過して前記二軸性，位相差板に入射する直線偏光を各波長光毎に偏光状態の異なる楕円偏光として出射させる角度で交差する方向に向けて配置され、前記液晶セルは、その基板近傍の液晶分子の配向方向をその基板に隣接する前記二軸性位相差板の遅相軸に対して前記二軸性位相差板を出射した前記楕円偏光の各波長光毎の偏光状態をさらに変化させる角度で交差する方向に向けて配置され、他方の偏光板は、その透過軸をこの偏光板の透過光を構成する各波長光の光量比が、印加された電圧に応じて変化する少なくとも３つの着色光にそれぞれ対応した比率となる方向に向けて配置されていることを特徴とするカラー液晶表示装置。
　３　液晶セルの裏面側に配置された裏側偏光板の背後に反射板が配置されており、液晶セルの表面側に配置された表側偏光板と前記液晶セルとの間と、液晶セルの裏面側に配置された裏側偏光板と前記液晶セルとの間に、それぞれ１枚ずつ二軸性位相差板が配置されるとともに、少なくとも、前記表側偏光板の透過軸と、この偏光板に隣接する位相差板の遅相軸とが、所定角度斜めにずれていることを特徴とする請求項１に記載のカラー液晶表示装置。」
と訂正する。
２．訂正事項２
　請求項１６を削除する。
３．訂正事項３
　特許請求の範囲の記載と整合させるため、不明りょうな記載の釈明を目的として、明細書の段落番号【００１６】【課題を解決するための手段】の記載、
「本発明のカラー液晶表示装置は、内面に電極が形成された一対の基板間に液晶分子がツイスト配向したネマティック液晶層を設けてなる液晶セルと、前記液晶セルをはさんでその表面側と裏面側とに配置された一対の偏光板と、前記一対の偏光板の間に配置された位相差板とを備え、かつ、前記位相差板は、その遅相軸であるｘ軸方向の屈折率ｎｘと、ｙ軸方向の屈折率ｎｙ、及びｚ軸方向の屈折率ｎｚとがｎｘ＞ｎｚ＞ｎｙの関係にある二軸性位相差板であって、前記二軸性位相差板は、その遅相軸をこれに隣接する一方の偏光板の透過軸に対してこの偏光板を透過して前記二軸性位相差板に入射する直線偏光を各波長光毎に偏光状態の異なる楕円偏光として出射させる角度で交差する方向に向けて配置され、前記液晶セルは、その基板近傍の液晶分子の配向方向をその基板に隣接する前記二軸性位相差板の遅相軸に対して前記二軸性位相差板を出射した前記楕円偏光の各波長光毎の偏光状態をさらに変化させる角度で交差する方向に向けて配置され、他方の偏光板は、その透過軸をこの偏光板の透過光を構成する各波長光の光量比が所望の着色光に対応した比率となる方向に向けて配置されていることを特徴とするものである。」
を、
「本発明のカラー液晶表示装置は、内面に電極が形成された一対の基板間に液晶分子がツイスト配向したネマティック液晶層を設けてなる液晶セルと、前記液晶セルをはさんでその表面側と裏面側とに配置された一対の偏光板と、前記一対の偏光板の間に配置された位相差板とを備え、かつ、前記位相差板は、その遅相軸であるｘ軸方向の屈折率ｎｘと、ｙ軸方向の屈折率ｎｙ、及びｚ軸方向の屈折率ｎｚとがｎｘ＞ｎｚ＞ｎｙの関係にある二軸性位相差板であって、前記二軸性位相差板は、その遅相軸をこれに隣接する一方の偏光板の透過軸に対してこの偏光板を透過して前記二軸性位相差板に入射する直線偏光を各波長光毎に偏光状態の異なる楕円偏光として出射させる角度で交差する方向に向けて配置され、前記液晶セルは、その基板近傍の液晶分子の配向方向をその基板に隣接する前記二軸性位相差板の遅相軸に対して前記二軸性位相差板を出射した前記楕円偏光の各波長光毎の偏光状態をさらに変化させる角度で交差する方向に向けて配置され、他方の偏光板は、その透過軸をこの偏光板の透過光を構成する各波長光の光量比が、印加された電圧に応じて変化する少なくとも３つの着色光にそれぞれ対応した比率となる方向に向けて配置されていることを特徴とするものである。」
と訂正する。
４．訂正事項４
　特許請求の範囲の記載と整合させるため、不明りょうな記載の釈明を目的として、明細書の段落番号【００３１】、【００４４】、【００４５】、【００４６】、【００４７】、【００４８】、【００４９】、【０３２６】の記載を削除する。
（５４）【発明の名称】
カラー液晶表示装置
（５７）【特許請求の範囲】
　　【請求項１】
　内面に電極が形成された一対の基板間に液晶分子がツイスト配向したネマティック液晶層を設けてなる液晶セルと、前記液晶セルをはさんでその表面側と裏面側とに配置された一対の偏光板と、前記一対の偏光板の間に配置された位相差板とを備え、
　かつ、前記位相差板は、その遅相軸であるｘ軸方向の屈折率ｎｘと、ｙ軸方向の屈折率ｎｙおよびｚ軸方向の屈折率ｎｚとが、ｎｘ＞ｎｚ＞ｎｙの関係にある二軸性位相差板であって、
　前記二軸性位相差板は、その遅相軸をこれに隣接する一方の偏光板の透過軸に対してこの偏光板を透過して前記二軸性位相差板に入射する直線偏光を各波長光置され、前記液晶セルは、その基板近傍の液晶分子の配向方向をその基板に隣接する前記二軸性位相差板の遅相軸に対して前記二軸性位相差板を出射した前記楕円偏光の各波長光毎の偏光状態をさらに変化させる角度で交差する方向に向けて配置され、他方の偏光板は、その透過軸をこの偏光板の透過光を構成する各波長光の光量比が、
印加された電圧に応じて変化する少なくとも３つの
それぞれ
　　【請求項２】
　液晶セルの裏面側に配置された裏側偏光板の背後に反射板が配置されており、液晶セルの表面側に配置された表側偏光板と前記液晶セルとの間に１枚の二軸性位相差板が配置されるとともに、少なくとも、前記表側偏光板の透過軸と、前記位相差板の遅相軸とが、所定角度斜めにずれていることを特徴とする請求項１に記載のカラー液晶表示装置。
　　【請求項３】
　液晶セルの裏面側に配置された裏側偏光板の背後に反射板が配置されており、液晶セルの表面側に配置された表側偏光板と前記液晶セルとの間と、液晶セルの裏面側に配置された裏側偏光板と前記液晶セルとの
間に
　　【請求項４】
　液晶セルの裏面側に配置された裏側偏光板の背後に反射板が配置されており、液晶セルの表面側に配置された表側偏光板と前記液晶セルとの間に、２枚の二軸性位相差板が互いに重ねて配置されるとともに、少なくとも、前記表側偏光板の透過軸と、前記２枚の位相差板のうちの前記表側偏光板に隣接する位相差板の遅相軸とが、所定角度斜めにずれていることを特徴とする請求項１に記載のカラー液晶表示装置。
　　【請求項５】
　液晶セルの液晶分子のツイスト角は８０゜〜１１０゜であることを特徴とする請求項１〜請求項４のいずれか１つに記載のカラー液晶表示装置。
　　【請求項６】
　液晶セルの液晶分子のツイスト角は１１０゜〜１３０゜であることを特徴とする請求項１〜請求項４のいずれか１つに記載のカラー液晶表示装置。
　　【請求項７】
　液晶セルの液晶分子のツイスト角は１８０゜〜２７０゜であることを特徴とする請求項１〜請求項４のいずれか１つに記載のカラー液晶表示装置。
　　【請求項８】
　液晶セルの液晶分子のツイスト角は８０゜〜１１０゜であり、前記液晶セルの液晶の屈折率異方性Δｎと液晶層厚ｄとの積Δｎ・ｄの値が５２０ｎｍ〜５８０ｎｍ、位相差板のリタデーションの値が４００ｎｍ〜４６０ｎｍであることを特徴とする請求項２に記載のカラー液晶表示装置。
　　【請求項９】
　液晶セルの液晶分子のツイスト角は１１０゜〜１３０゜であり、前記液晶セルの液晶の屈折率異方性Δｎと液晶層厚ｄとの積Δｎ・ｄの値が８８０ｎｍ〜９７０ｎｍ、位相差板のリタデーションの値が１２７０ｎｍ〜１５３０ｎｍであることを特徴とする請求項２に記載のカラー液晶表示装置。
　　【請求項１０】
　液晶セルの液晶分子のツイスト角は１８０゜〜２７０゜であり、前記液晶セルの液晶の屈折率異方性Δｎと液晶層厚ｄとの積Δｎ・ｄの値が８５０ｎｍ〜９１０ｎｍ、位相差板のリタデーションの値が４００ｎｍ〜４６０ｎｍであることを特徴とする請求項２に記載のカラー液晶表示装置。
　　【請求項１１】
　液晶セルの液晶分子のツイスト角は１８０゜〜２７０゜であり、前記液晶セルの液晶の屈折率異
方
　　【請求項１２】
　液晶セルの液晶分子のツイスト角は１８０゜〜２７０゜であり、前記液晶セルの液晶の屈折率異方性Δｎと液晶層厚ｄとの積Δｎ・ｄの値が１２５０ｎｍ〜１４５０ｎｍ、表側偏光板に隣接する位相差板のリタデーションの値が１５７０ｎｍ〜１６３０ｎｍ、液晶セルに隣接する位相差板のリタデーションの値が１５２０ｎｍ〜１５８０ｎｍであることを特徴とする請求項４に記載のカラー液晶表示装置。
　　【請求項１３】
　液晶セルの液晶分子のツイスト角は１８０゜〜２７０゜であり、前記液晶セルの液晶の屈折率異方性Δｎと液晶層厚ｄとの積Δｎ・ｄの値が１４９０ｎｍ以上であることを特徴とする請求項４に記載のカラー液晶表示装置。
　　【請求項１４】
　液晶セルのΔｎ・ｄの値が１４９０ｎｍ〜１５９０ｎｍ１表側偏光板に隣接する位相差板のリタデーションの値が１５７０ｎｍ〜１６３０ｎｍ、液晶セルに隣接する位相差板のリタデーションの値が１４２０ｎｍ〜１４８０ｎｍであることを特徴とする請求項１３に記載のカラー液晶表示装置。
　　【請求項１５】
　前記液晶セルのΔｎ・ｄの値が１５３０ｎｍ〜１７ＳＯｎｍ、表側偏光板に隣接する位相差板のリタデーションの値が１５７０ｎｍ〜１６３０ｎｍ、液晶セルに隣接する位相差板のリタデーションの値が１５２０ｎｍ〜１５８０ｎｍであることを特徴とする請求項１３に記載のカラー液晶表示装置。
【発明の詳細な説明】
　　　【０００１】
　　【産業上の利用分野】
　本発明は、カラーフィルタを用いずに明るいカラー表示を得るカラー液晶表示装置に関するものである。
　　　【０００２】
　　【従来の技術】
　着色した表示が得られるカラー液晶表示装置としては、一般に、カラーフィルタを用いて光を着色するものが利用されている。
　　　【０００３】
　しかし、このカラー液晶表示装置は、カラーフィルタを用いて光を着色するものであるため、光の透過率が低く、したがって表示が暗いという問題をもっている。
　　　【０００４】
　これは、カラーフィルタでの光の吸収によるものであり、カラーフィルタは、その色に対応する波長帯域外の波長光だけでなく、前記波長帯域の光もかなり高い吸収率で吸収するため、カラーフィルタを通った着色光が、カラーフィルタに入射する前の前記波長帯域の光に比べて大幅に光量を減じた光になり、表示が暗くなってしまう。
　　　【０００５】
　なお、液晶表示装置には、その裏面側に配置されるバックライトからの光を利用して表示する透過型のものと、外光を利用し液晶表示装置を通った光を裏面側に配置した反射板で反射させて表示する反射型のものとがあるが、上記カラー液晶表示装置を反射型とすると、その表面側から入射し反射板で反射されて表面側に出射する光がカラーフィルタを２度通って二重に光量を減じるため、表示が極端に暗くなって、表示装置としてはほとんど使用できなくなる。
　　　【０００６】
　しかも、上記カラー液晶表示装置では、液晶セルの両基板の電極が互いに対向している各箇所の表示色がこの箇所に設けたカラーフィルタの色によって決まるため、同じ箇所には１の色しか表示できなかった。
　　　【０００７】
　なお、液晶表示装置には、セグメント表示方式のものとドットマトリックス表示方式のものとがあり、セグメント表示方式の従来のカラー液晶表示装置では、１つ１つの表示パターンの表示色がそのパターンを表示するためのセグメント電極に対応するカラーフィルタの色によって決まり、ドット表示型液晶セルを用いる従来のカラー液晶表示装置では、１つ１つの画素の色がその画素に対応するカラーフィルタの色によって決まる。
　　　【０００８】
　一方、カラーフィルタを必要としないＥＣＢ（複屈折効果）型のカラー液晶表示装置が従来知られている。
　　　【０００９】
　このＥＣＢ型液晶表示装置は、内面（液晶層との対向面）に透明な電極を形成した一対の透明基板間に液晶層を設けてなる液晶セルをはさんで一対の偏光板を配置したものであり、前記液晶セルとしては、一般に、液晶分子が、ツイスト配向、ホモジニアス配向、ホメオトロピック配向、ハイブリッド配向のいずれかの配向状態に配向しているものが用いられている。
　　　【００１０】
　このＥＣＢ型液晶表示装置においては、一方の偏光板を透過して入射した直線偏光が、液晶セルを透過する過程で液晶層の複屈折効果により各波長光がそれぞれ偏光状態の異なる楕円偏光となり、その光が他方の偏光板に入射して、この他方の偏光板を透過した光が、その光を構成する各波長光の光量比に応じた色の着色光になる。
　　　【００１１】
　すなわち、上記ＥＣＢ型液晶表示装置は、カラーフィルタを用いずに、液晶セルの液晶層の複屈折効果と一対の偏光板の偏光作用とを利用して光を着色するものであり、したがってカラーフィルタによる光の吸収がないから、光の透過率を高くして明るいカラー表示を得ることができる。
　　　【００１２】
　しかも、上記ＥＣＢ型液晶表示装置は、液晶セルの両基板の電極間に印加される電圧による液晶分子の配向状態によって液晶層の複屈折性が変化し、それに応じて他方の偏光板に入射する各波長光の偏光状態が変化するため、液晶セルへの印加電圧を制御することによって上記着色光の色を変化させることができ、したがって、同じ箇所で複数の色を表示することができる。
　　　【００１３】
　　【発明が解決しようとする課題】
　しかし、上記ＥＣＢ型液晶表示装置は、液晶セルの液晶層の複屈折性が光の入射角によって大きく変化するため、表示色が視角（表示の観察角）によって大きく変化してしまい、したがって、視野角が狭いという問題ももっている。
　　　【００１４】
　しかも、上記ＥＣＢ型液晶表示装置は、温度による表示色の色変化が大きいという問題をもっている。これは、液晶セルの液晶層の複屈折性に温度依存性があるためであり、液晶セルの液晶層の複屈折性は、液晶セルのΔｎ・ｄ（液晶の屈折率異方性Δｎと液晶層厚ｄとの積）の値によって決まるが、液晶の屈折率異方性Δｎは温度によって大きく変化するため、液晶層の複屈折性が温度によって大きく変化し、表示色が変化してしまう。
　　　【００１５】
　本発明は、カラーフィルタを用いずに明るいカラー表示を得るとともに、同じ箇所で複数の色を表示することができ、しかも、視野角が広く、温度による表示色の色変化も小さい、カラー液晶表示装置を提供することを目的としたものである。
　　　【００１６】
　　【課題を解決するための手段】
　本発明のカラー液晶表示装置は、内面に電極が形成された一対の基板間に液晶分子がツイスト配向したネマティック液晶層を設けてなる液晶セルと、前記液晶セルをはさんでその表面側と裏面側とに配置された一対の偏光板と、前記一対の偏光板の間に配置された位相差板とを備え、
　かつ、前記位相差板は、その遅相袖であるｘ軸方向の屈折率ｎｘと、ｙ軸方向の屈折率ｎｙおよび軸方向の屈折率ｎｚとが、ｎｘ＞ｎｚ＞ｎｙの関係にある二軸性位相差板であって、
　前記二軸性位相差板は、その遅相軸をこれに隣接する一方の偏光板の透過軸に対してこの偏光板を透過して前記二軸性位相差板に入射する直線偏光を各波長光毎に偏光状態の異なる楕円偏光として出射させる角度で交差する方向に向けて配置され、前記液晶セルは、その基板近傍の液晶分子の配向方向をその基板に隣接する前記二軸性位相差板の遅相軸に対して前記二軸性位相差板を出射した前記楕円偏光の各波長光毎の偏光状熊をさらに変化させる角度で交差する方向に向けて配置され、他方の偏光板は、その透過軸をこの偏光板の透過光を構成する各波長光の光量比が、
印加された電圧に応じて変化する少なくとも３つ
それぞれ
　　　【００１７】
　本発明は、透過型の液晶表示装置にも、液晶セルの裏面側に配置された裏側偏光板の背後に反射板を配置した反射型の液晶表示装置にも適用できるものであり、前記二軸性位相差板の数は１枚でも２枚でもよく、また、前記液晶セルの液晶分子のツイスト角は、８０°〜１１０°、１１０°〜１３０°、１８０°〜２７０°のいずれであってもよい。
　　　【００１８】
　また、反射型液晶表示装置において、１枚の二軸性位相差板を用いる場合は、前記位相差板を、液晶セルの表面側に配置された表側偏光板と前記液晶セルとの間に配置するのが望ましく、その場合は、少なくとも、前記表側偏光板の透過軸と、前記位相差板の遅相軸とを、所定角度斜めにずらせばよい。
　　　【００１９】
　さらに、反射型液晶表示装置において、２枚の二軸性位相差板を用いる場合は、表側偏光板と液晶セルとの間と、裏側偏光板と前記液晶セルとの間とに、それぞれ１枚ずつ位相差板を配置してもよく、その場合は、少なくとも、前記表側偏光板の透過軸と、この偏光板に隣接する位相差板の遅相軸とを、所定角度斜めにずらせばよい。
　　　【００２０】
　さらにまた、反射型液晶表示装置において、２枚の二軸性位相差板を用いる場合は、表側偏光板と液晶セルとの間に２枚の位相差板を互いに重ねて配置してもよく、その場合は、少なくとも、前記表側偏光板の透過軸と、前記２枚の位相差板のうちの前記表側偏光板に隣接する位相差板の遅相軸とを、所定角度斜めにずらせばよい。
　　　【００２１】
　本発明を、表側偏光板と液晶セルとの間に１枚の二軸性位相差板を配置した反射型液晶表示装置に適用する場合の例としては、
　液晶セルの液晶分子のツイスト角を８０°〜１１０°、前記液晶セルのΔｎ・ｄ（液晶の屈折率異方性Δｎと液晶層厚ｄとの積）の値を５２０ｎｍ〜５８０ｎｍ、位相差板のリタデーション（位相差板の屈折率異方性Δｎと位相差板の厚さｄとの積）の値を４００ｎｍ〜４６０ｎｍにする。
　　　【００２２】
　液晶セルの液晶分子のツイスト角を１１０°〜１３０°、前記液晶セルの液晶の値を８８０ｎｍ〜９７０ｎｍ、位相差板のリタデーションの値を１２７０ｎｍ〜１５３０ｎｍにする。
　　　【００２３】
　液晶セルの液晶分子のツイスト角を１８０°〜２７０°、前記液晶セルのΔｎ・ｄの値を８５０ｎｍ〜９１０ｎｍ、位相差板のリタデーションの値を４００ｎｍ〜４６０ｎｍにする。
　　　【００２４】
等の例がある。
　　　【００２５】
　また、本発明を、表側偏光板と液晶セルとの間と、裏側偏光板と液晶セルとの間とに、それぞれ１枚ずつ二軸性位相差板を配置した反射型液晶表示装置に適用する例としては、液晶セルの液晶分子ツイスト角が１８０°〜２７０°、前記液晶セルのΔｎ・ｄの値を１２５０ｎｍ〜１４５０ｎｍ、表側偏光板に隣接する位相差板のリタデーションの値を１５７０ｎｍ〜１６３０ｎｍ、裏側偏光板に隣接する位相差板のリタデーションの値を１５７０ｎｍ〜１６３０ｎｍにする例がある。
　　　【００２６】
　また、本発明を、表側偏光板と液晶セルとの間に２枚の二軸性位相差板を互いに重ねて配置した反射型液晶表示装置に適用とする例としては、液晶セルの液晶分子のツイスト角を１８０°〜２７０°、前記液晶セルのΔｎ・ｄの値を１２５０ｎｍ〜１４５０ｎｍ、表側偏光板に隣接する位相差板のリタデーションの値を１５７０ｎｍ〜１６３０ｎｍ、液晶セルに隣接する位相差板のリタデーションの値を１５２０ｎｍ〜１５８０ｎｍにする例がある。
　　　【００２７】
　さらに、表側偏光板と液晶セルとの間に２枚の二軸性位相差板を互いに重ねて配置した反射型液晶表示装置において、前記液晶セルの液晶分子のツイスト角が１８０°〜２７０°である場合は、前記液晶セルのΔｎ・ｄの値を１４９０ｎｍ以上と大きくしてもよい。
　　　【００２８】
　その例としては、
　液晶セルのΔｎ・ｄの値を１４９０ｎｍ〜１５９０ｎｍ、表側偏光板に隣接する位相差板のリタデーションの値を１５７０ｎｍ〜１６３０ｎｍ、液晶セルに隣接する位相差板のリタデーションの値を１４２０ｎｍ〜１４８０ｎｍにする。
　　　【００２９】
　液晶セルのΔｎ・ｄの値を１５３０ｎｍ〜１７３０ｎｍ、表側偏光板に隣接する位相差板のリタデーションの値を１５７０ｎｍ〜１６３０ｎｍ、液晶セルに隣接する位相差板のリタデーションの値を１５２０ｎｍ〜１５８０ｎｍにする。
　　　【００３０】
等の例がある。
　　　【００３１】
　　　【００３２】
　　【作用】
　本発明のカラー液晶表示装置においては、一方の偏光板を透過して入射した直線偏光が、位相差板と液晶セルとを透過する間に、前記位相差板の複屈折効果と液晶セルの液晶層の複屈折効果とによって各波長光がそれぞれ偏光状態の異なる楕円偏光となり、その光が他方の偏光板に入射して、この他方の偏光板を透過した光が、その光を構成する各波長光の光量比に応じた色の着色光になる。
　　　【００３３】
　なお、液晶セルの裏面側に配置された裏側偏光板の背後に反射板を配置した反射型液晶表示装置においては、その表面側からの入射光が表側偏光板、位相差板および液晶セルを透過して裏側偏光板に入射し、この裏側偏光板を透過して着色光となった光が反射板で反射され、前記裏側偏光板と液晶セルおよび位相差板と表側偏光板とを透過して表面側に出射する。
　　　【００３４】
　この着色光の色は、一対の偏光板の透過軸の方向および位相差板の遅相軸の方向と液晶セルの両基板の近傍における液晶分子の配向方向とを、前記他方の偏光板を透過した光の各波長光の光量比が所望の着色光に対応した比率になるように設定することによって任意に選ぶことができる。
　　　【００３５】
　すなわち、このカラー液晶表示装置は、カラーフィルタを用いずに、位相差板の複屈折効果と、液晶セルの液晶層の複屈折効果と、一対の偏光板の偏光作用とを利用して光を着色するものであり、したがってカラーフィルタによる光の吸収がないから、透過型、反射型を問わず、光の透過率を高くして明るいカラー表示を得ることができる。
　　　【００３６】
　また、このカラー液晶表示装置においては、位相差板の複屈折性はこの位相差板のリタデーションの値によって決まるが、液晶セルの液晶層の複屈折性が、その両基板の電極間に印加される電圧に応じた液晶分子の配向状態の変化によって変化し、それに応じて他方の偏光板に入射する各波長光の偏光状態が変化するため、液晶セルへの印加電圧を制御することによって上記着色光の色を変化させることができ、したがって、同じ箇所で複数の色を表示することができる。
　　　【００３７】
　しかも、このカラー液晶表示装置においては、液晶セルの液晶層の複屈折性は光の入射角によって変化するが、位相差板の複屈折性は光の入射角が変化してもほとんど変わらないし、また、前記位相差板が、遅相軸であるｘ軸方向の屈折率ｎｘと、ｙ軸方向の屈折率ｎｙおよびＺ軸方向の屈折率ｎｚとが、ｎｘ＞ｎｚ＞ｎｙの関係にある二軸性位相差板であるため、光が液晶セルの液晶層を垂直に透過したときと斜めに透過したときとの位相差が前記二軸性位相差板によって補償されるから、視野角が広くなる。
　　　【００３８】
　さらに、このカラー液晶表示装置においては、液晶セルの液晶層の複屈折性は温度によって変化するが、位相差板の温度による複屈折性の変化は極く小さいため、液晶セルの液晶層と位相差板との全体の複屈折性は、温度依存性の小さい特性であり、したがって、温度による表示色の色変化も小さくなる。
　　　【００３９】
　また、反射型液晶表示装置において、１枚の二軸性位相差板を用いる場合、この位相差板を、表側偏光板と液晶セルとの間に配置し、少なくとも、前記表側偏光板の透過軸と位相差板の遅相軸とを所定角度斜めにずらしておけば、表側偏光板を透過して入射した直線偏光が、まず位相差板を透過する過程でその複屈折効果により偏光状態を変えられ、その光が液晶セルを透過する過程で液晶層の複屈折効果によりさらに偏光状態を変えられて裏側偏光板に入射するため、上述した着色光を得ることができる。
　　　【００４０】
　また、反射型液晶表示装置において、２枚の二軸性位相差板を用いる場合、表側偏光板と液晶セルとの間と、裏側偏光板と液晶セルとの間とに、それぞれ１枚ずつ位相差板を配置し、少なくとも、表側偏光板の透過軸とこの偏光板に隣接する位相差板の遅相軸とを所定角度斜めにずらしておけば、表側偏光板を透過して入射した直線偏光が、まず表側偏光板に隣接する位相差板を透過する過程でその複屈折効果により偏光状態を変えられ、その光が液晶セルを透過する過程で液晶層の複屈折効果によりさらに偏光状態を変えられ、さらにその光が裏側偏光板に隣接する位相差板を透過する過程でその複屈折効果により偏光状態を変えられて裏側偏光板に入射するため、上述した着色光を得ることができる。
　　　【００４１】
　また、反射型液晶表示装置において、２枚の二軸性位相差板を用いる場合、表側偏光板と液晶セルとの間に２枚の二軸性位相差板を互いに重ねて配置し、少なくとも、表側偏光板の透過軸と２枚の位相差板のうちの前記表側偏光板に隣接する位相差板の遅相軸とを所定角度斜めにずらしておけば、表側偏光板を透過して入射した直線偏光が、まず表側偏光板に隣接する位相差板を透過する過程でその複屈折効果により偏光状態を変えられ、その光が液晶セルに隣接する位相差板を透過する過程でその複屈折効果によりさらに偏光状態を変えられ、さらにその光が液晶セルを透過する過程で液晶層の複屈折効果により偏光状態を変えられて裏側偏光板に入射するため、上述した着色光を得ることができる。
　　　【００４２】
　上記２枚の二軸性位相差板を用いる液晶表示装置においては、光が液晶セルの液晶層を垂直に透過したときと斜めに透過したときとの位相差が２枚の二軸性位相差板によってより効果的に補償されるから、視野角がさらに広くなるし、また、液晶セルの液晶層と２枚の位相差板との全体の複屈折性が、さらに温度依存性の小さい特性になるため、温度による表示色の色変化もより小さくなる。
　　　【００４３】
　さらに、表側偏光板と液晶セルとの間に２枚の二軸性位相差板を互いに重ねて配置した反射型液晶表示装置において、液晶セルの液晶分子のツイスト角が１８０°〜２７０°である場合、前記液晶セルのΔｎ・ｄの値を１４９０ｎｍ以上と大きくすれば、その液晶層の印加電圧に対する複屈折性の変化が大きくなるため、表示色数を多くすることができる。
　　　【００４４】
　　　【００４５】
　　　【００４６】
　　　【００４７】
　　　【００４８】
　　　【００４９】
　　　【００５０】
　　【実施例】
　　［第１の実施例］
　以下、本発明の第１の実施例を図１〜図５を参照して説明する。この実施例のカラー液晶表示装置は、液晶分子のツイスト角が８０゜〜１１０°の液晶セルと１枚の二軸性位相差板を用いたものである。
　　　【００５１】
　図１はカラー液晶表示装置の断面図であり、この液晶表示装置は、液晶セル１０と、この液晶セル１０をはさんでその表面側（図において上面側）と裏面側（図において下面側）に配置された一対の偏光板２１，２２と、液晶セル１０の表面側に配置された表側偏光板２１と前記液晶セル１０との間に配置された１枚の位相差板２３と、液晶セル１０の裏面側に配置された裏側偏光板２２の背後に配置された反射板２５とからなっている。
　　　【００５２】
　上記液晶セル１０は、内面に透明電極１３，１４が形成されその上に配向膜１５，１６が形成された一対の透明基板１１，１２を枠状のシール材１７を介して接合し、この両基板１１，１２間の前記シール材１７で囲まれた領域に、液晶分子がツイスト配向したネマティック液晶層１８を設けたものである。
　　　【００５３】
　この液晶セル１０は、単純マトリックス型のものであり、表側基板１１の内面に形成された電極１３は走査電極、裏側基板１２の内面に形成された電極１４は信号電極である。
　　　【００５４】
　また、両基板１１，１２の内面にそれぞれ設けられた配向膜１５，１６は、例えばポリイミド等からなる水平配向膜であり、これら配向膜１５，１６は、その膜面を所定方向にラビングすることによって配向処理されている。
　　　【００５５】
　そして、前記液晶層１８の液晶の分子は、それぞれの基板１１，１２側における配向方向を前記配向膜１５，１６で規制され、両基板１１，１２間において８０°〜１１０°（この実施例ではほぼ９０°）のツイスト角でツイスト配向している。なお、この液晶層１８には、液晶分子にツイスト配向性を付与するカイラル液晶が添加されている。
　　　【００５６】
　また、上記一対の偏光板２１，２２のうち、表側偏光板２１は、その透過軸を、上記液晶セル１０の一方の基板の近傍における液晶分子の配向方向とほぼ平行にするかあるいはほぼ直交させて配置され、裏側偏光板２２は、その透過軸を、前記表側偏光板２１の透過軸とほぼ平行にするかあるいはほぼ直交させて配置されており、さらに、位相差板２３は、その遅相軸を、前記表側偏光板２１の透過軸に対して所定角度斜めにずらして設けられている。
　　　【００５７】
　図２は、液晶セル１０の液晶分子配向方向と、偏光板２１，２２の透過軸の向きと、位相差板２３の遅相軸の向きとを示す表面側から見た図であり、図において、１１ａは液晶セル１０の表側基板１１の近傍における液晶分子の配向方向、１２ａは液晶セル１０の裏側基板１２の近傍における液晶分子の配向方向を示している。
　　　【００５８】
　この図２のように、液晶セル１０の裏側基板１２の近傍における液晶分子の配向方向１２ａは、液晶セル１０の横軸Ｓに対し、表面側から見て右回りにほぼ４５°の方向、表側基板１１の近傍における液晶分子の配向方向１１ａは、前記裏側基板１２の近傍における液晶分子の配向方向１２ａに対し、表面側から見て左回りにほぼ９０゜の方向にあり、液晶分子は、裏側基板１２側から表側基板１１側に向かい、表面側から見て右回りにほぼ９０°のツイスト角でツイスト配向している。
　　　【００５９】
　また、図２において、２１ａは表側偏光板２１の透過軸、２２ａは裏側偏光板２２の透過軸を示しており、この実施例では、表側偏光板２１の透過軸２１ａを上記液晶セル１０の表側基板１１の近傍における液晶分子の配向方向１１ａに対してほぼ直交させ、裏偏光板２２の透過軸２２ａを表側偏光板２１の透過軸２１ａとほぼ平行にしている。
　　　【００６０】
　さらに、図２において、２３ａは上記位相差板２３の遅相軸を示しており、この位相差板２３の遅相軸２３ａは、表側偏光板２１の透過軸２１ａに対して所定角度斜めにずらしてある。なお、この実施例では、位相差板２３の遅相軸２３ａを、表側偏光板２１の透過軸２１ａに対して、表面側から見て液晶セル１０の液晶分子ツイスト方向と逆方向（左回り）にほぼ４５°ずらしている。
　　　【００６１】
　図３は上記位相差板２３の斜視図であり、この位相差板２３は、その遅相軸（延伸軸）２３ａであるＸ軸方向の屈折率ｎｘと、ｙ軸方向の屈折率ｎｙおよびｚ軸方向の屈折率ｎｚとがｎｘ＞ｎｚ＞ｎｙの関係にある二軸性位相板である。
　　　【００６２】
　また、この実施例では、上記液晶セル１０として、液晶の屈折率異方性Δｎと液晶層厚ｄとの積Δｎ・ｄの値が５５２ｎｍのものを用いている。なお、この液晶セル１０の液晶の複屈折率Δｎおよび液晶層厚ｄは、
　　　　Δｎ＝０．０９２
　　　　ｄ＝６μｍ
である。
　　　【００６３】
　さらに、この実施例では、上記二軸性位相差板２３として、ｘ，ｙ，ｚ軸方向の屈折率ｎｘ，ｎｙ，ｎｚおよびその板厚（屈折率異方性のある部分の厚み）ｄが、
　　　ｎｘ＝１．４
　　　ｎｙ＝１．２
　　　ｎｚ＝１．３
　　　　ｄ＝２．１５μｍ
のものを用いている。
　　　【００６４】
　この二軸性位相差板２３は、Ｘ軸方向の屈折率ｎｘとｙ軸方向の屈折率ｎｙとの差に応じた屈折率異方性Δｎ（Δｎ＝ｎｘ−ｎｙ）をもっており、そのリタデーション（位相差板の屈折率異方性Δｎと位相差板の板厚ｄとの積）の値は、４３０ｎｍである。
　　　【００６５】
　上記カラー液晶表示装置は、その表面側から入射する外光（自然光または室内照明光等）を裏面側の反射板２５で反射させて表示するものであり、液晶セル１０の両基板１１，１２の電極１３，１４間に電圧を印加して表示駆動される。
　　　【００６６】
　そして、このカラー液晶表示装置においては、その表面側から表側偏光板２１を透過して入射した直線偏光が、位相差板２３および液晶セル１０を順次透過する間に、前記位相差板２３の複屈折効果および液晶セル１０の液晶層１８の複屈折効果により偏光状態を変えられて裏側偏光板２２に入射し、この裏側偏光板２２を透過した光が着色光になる。
　　　【００６７】
　この光の着色について説明すると、液晶表示装置に入射する外光は、表側偏光板２１を透過して直線偏光となった後に、まず位相差板２３に入射するが、この位相差板２３遅相軸２３ａが前記表側偏光板２１の透過軸２１ａに対して所定角度（この実施例ではほぼ４５°）斜めにずれているため、表側偏光板２１を透過した直線偏光が、位相差板２３を透過する間にそのリタデーションの値に応じた複屈折作用を受け、各波長光がそれぞれ偏光状態の異なる楕円偏光となる。
　　　【００６８】
　また、上記位相差板２３を透過した光は、液晶セル１０に入射し、その液晶層１８を透過する間に、この液晶セル１０のΔｎ・ｄの値と液晶分子の配向状態とに応じた複屈折作用を受け、各波長光の楕円偏光の状態がさらに変化した光になる。
　　　【００６９】
　そして、このように、位相差板２３の複屈折効果と液晶セル１０の液晶層１８の複屈折効果とによって各波長光がそれぞれ偏光状態の異なる楕円偏光となった光は、裏側偏光板２２に入射し、その光のうち、裏側偏光板２２の透過軸２２ａに沿った成分の光だけがこの裏側偏光板２２を透過して、この透過光（直線偏光）が、その透過光を構成する各波長光の光量比に応じた色の着色光になる。
　　　【００７０】
　この着色光の色は、一対の偏光板２１，２２の透過軸２１ａ，２２ａおよび位相差板２３の遅相軸２３ａの向きと、液晶セル１０の両基板１１，１２の近傍における液晶分子の配向方向１１ａ，１２ａと、液晶セル１０のΔｎ・ｄの値および位相差板２３のリタデーションの値とを、裏側偏光板２２を透過した光を構成する各波長光の光量比が所望の着色光に対応した比率になるように設定することによって任意に選ぶことができる。
　　　【００７１】
　また、裏側偏光板２２を透過した着色光は、反射板２５で反射されて上述した光経路と逆の経路で液晶表示装置の上面側に出射し、この着色光によってカラー画像が表示される。
　　　【００７２】
　なお、この場合、反射板２５で反射される着色光は、位相差板２３および液晶セル１０の液晶層１８の複屈折効果により各波長光がそれぞれ偏光状態の異なる楕円偏光となった光のうちの、裏側偏光板２２の透過軸２２ａに沿った成分の光だけであり、その波長域の域端の極く僅かな波長成分の光は、液晶セル１０および位相差板２３を再び透過する過程で複屈折されて表側偏光板２１で吸収されるため、表側偏光板２１を透過して出射する着色光は、反射板２５で反射された着色光よりもさらに色純度が良くなった光となる。
　　　【００７３】
　すなわち、上記カラー液晶表示装置は、カラーフィルタを用いずに、位相差板２３の複屈折効果と、液晶セル１０の液晶層１８の複屈折効果と、一対の偏光板２１，２２の偏光作用とを利用して光を着色するものであり、したがってカラーフィルタによる光の吸収がないから、光の透過率を高くすることができる。このため、上記カラー液晶表示装置は、反射型のものであっても、非常に明るいカラー表示を得ることができる。
　　　【００７４】
　また、このカラー液晶表示装置においては、上記位相差板２３の複屈折性はこの位相差板２３のリタデーションの値によって決まるが、液晶セル１０の液晶層１８の複屈折性力瓢その両基板１１，１２の電極１３，１４間に印加される電圧に応じた液晶分子の配向状態の変化によって変化し、それに応じて上記裏側偏光板２２に入射する各波長光の偏光状態が変化するため、液晶セル１０への印加電圧を制御することによって上記着色光の色を変化させることができ、したがって、同じ箇所、つまり同じ画素で、複数の色を表示することができる。
　　　【００７５】
　すなわち、液晶セル１０の液晶分子は、電極１３，１４間に電圧を印加していない状態では、基板１１，１２面に対して最も倒伏した初期のツイスト配向状態にあり、電極１３，１４間に電圧を印加すると、印加電圧を高くしてゆくのにともなってツイスト配向状態を保ちつつ立上り配向してゆき、最終的に、基板１１，１２面に対してほぼ垂直に立上がった状態になる。
　　　【００７６】
　そして、液晶の屈折率異方性Δｎの値は、見掛上、液晶分子が立上り配向してゆくのにともなって小さくなり、液晶分子が垂直に立上がり配向したときに“０”になるため、液晶セル１０の見掛上のΔｎ・ｄの値は、液晶分子が初期のツイスト配向状態にあるときに最も大きく、液晶分子が垂直に立上がり配向したときに“０”になる。
　　　【００７７】
　このため、液晶セル１０の液晶層１８の複屈折性は、電圧無印加状態、つまり液晶分子が初期のツイスト配向状態にあるときが最も大きく、このときは、位相差板２３の複屈折効果により各波長光がそれぞれ偏光状態の異なる楕円偏光となった光が、液晶層１８により大きく複屈折されて裏側偏光板２２に入射し、この偏光板２２を透過した光が、ある色の着色光になる。
　　　【００７８】
　また、液晶セル１０に電圧を印加すると、その電圧に応じて液晶層１８の複屈折性が変化し、上記電圧無印加状態のときとは異なる偏光状態の光が裏側偏光板２２に入射して、この偏光板２２を透過した光が他の色に着色する。
　　　【００７９】
　さらに、液晶セル１０に液晶分子がほぼ垂直に立上がり配向する電圧を印加すると、液晶層１８の複屈折性がほとんど無くなり、位相差板２３の複屈折効果により各波長光がそれぞれ偏光状態の異なる楕円偏光となった光が、その偏光状態のまま液晶セル１０を透過して裏側偏光板２２に入射するため、このときは、前記裏側偏光板２２を透過した光が、位相差板２３の複屈折効果だけによる着色光になる。
　　　【００８０】
　このカラー液晶表示装置の表示色は、一対の偏光板２１，２２の透過軸２１ａ，２２ａおよび位相差板２３の遅相軸２３ａの向きと、液晶セル１０の両基板１１，１２の近傍における液晶分子の配向方向１１ａ，１２ａと、液晶セル１０のΔｎ・ｄの値および位相差板２３のリタデーションの値と、液晶セル１０への印加電圧値とによって決まる。
　　　【００８１】
　このカラー液晶表示装置の表示色について説明すると、図２に示したように、液晶セル１０の液晶分子のツイスト角がほぼ９０°、表側偏光板２１の透過軸２１ａと位相差板２３の遅相軸２３ａとのずれ角がほぼ４５°、表側偏光板２１の透過軸２１ａが液晶セル１０の表側基板１１の近傍における液晶分子の配向方向１１ａに対してほぼ直交、裏偏光板２２の透過軸２２ａが表側偏光板２１の透過軸２１ａとほぼ平行であり、
　液晶セル１０のΔｎ・ｄの値が５５２ｎｍ、位相差板２３のリタデーションの値が４３０ｎｍである場合、
　液晶セル１０への印加電圧と表示色の関係は次のようになる。なお、ここで、印加電圧値は実効値であり、表示色は、液晶表示装置の表示を真正面から見たときの色である。
　　　【００８２】
　　　　（印加電圧）　　　（表示色）
　　　　１．７ｖ以下　　　　オレンジ
　　　２．９〜３．５ｖ　　　黒
　　　　４．５ｖ以上　　　　青
　このように、上記カラー液晶表示装置の表示色は、液晶セル１０に印加する電圧を高くしていくのにともなって、オレンジ→黒→青の順に変化する。
　　　【００８３】
　なお、ここでは、液晶セル１０の液晶分子のツイスト角をほぼ９０°、液晶セル１０のΔｎ・ｄの値を５５２ｎｍ、位相差板２３のリタデーションの値を４３０ｎｍとしたが、液晶セル１０の液晶分子のツイスト角が８０°〜１１０°の範囲で、表側偏光板２１の透過軸２１ａが液晶セル１０の一方の基板の近傍における液晶分子の配向方向１１ａまたは１２ａとほぼ平行かあるいはほぼ直交し、裏側偏光板２２の透過軸２２ａが前記表側偏光板２１の透過軸２１ａとほぼ平行かあるいはほぼ直交しているとともに、表側偏光板２１の透過軸２１ａに対する位相差板２３の遅相軸２３ａのずれ角が４５°±５°であり、かつ、液晶セル１０のΔｎ・ｄの値が５２０ｎｍ〜５８０ｎｍ、位相差板２３のリタデーションの値が４００ｎｍ〜４６０ｎｍの範囲であれば、上記オレンジ，黒，青の表示色が得られる。
　　　【００８４】
　しかも、上記カラー液晶表示装置においては、液晶セル１０の液晶層１８の複屈折性は光の入射角によって変化するが、位相差板２３の複屈折性は光の入射角が変化してもほとんど変わらないし、また、前記位相差板２３が、遅相軸２３ａであるｘ軸方向の屈折率ｎｘと、ｙ軸方向の屈折率ｎｙおよびｚ軸方向の屈折率ｎｚとが、ｎｘ＞ｎｚ＞ｎｙの関係にある二軸性位相差板であるため、光が液晶セル１０の液晶層１８を垂直に透過したときと斜めに透過したときとの位相差が前記二軸性位相差板２３によって補償されるから、視野角が広くなる。
　　　【００８５】
　これは、上記二軸性位相差板２３が、その厚さ方向にも位相差をもっており、通常用いられている一軸性位相差板に比べて、光の入射角に対する位相差の変化が小さいためである。
　　　【００８６】
　すなわち、位相差板の光入射角に対するｘ，ｙ軸方向の位相差Ｒｘｙは、
　位相差板の法線（ｘ軸とｙ軸を通る面に対して垂直な線）に沿う方向から光が入射した場合、つまり位相差板の法線に対する光入射角が０゜の場合の位相差Ｒｘｙ（０）が、
　　Ｒｘｙ（０）＝（ｎｘ−ｎｙ）ｄ……（１）
　　　　　　　（ｄは位相差板の板厚）
　位相差板の法線に対してθ°傾いた方向から斜めに光が入射した場合の位相差Ｒｘｙ（θ）が、
　　【数１】
となる。
　　　【００８７】
　そして、通常の一軸性位相差板は、図３に示したｘ，ｙ，ｚ軸方向の屈折率ｎｘ，ｎｙ，ｎｚが、ｎｘ＞ｎｙ＝ｎｚであるため、この一軸性位相差板の光入射角が０゜の場合の位相差Ｒｘｙ（０）と、光入射角がθ゜の場合の位相差Ｒｘｙ（θ）との比Ｒｘｙ（θ）７／Ｒｘｙ（０）は、光の入射角によって大きく変化する。
　　　【００８８】
　これに対して、二軸性位相差板は、ｘ，ｙ，ｚ軸方向の屈折率ｎｘ，ｎｙ，ｎｚが、ｎｘ＞ｎｚ＞ｎｙであるため、光入射角によるＲｘｙ（θ）／Ｒｘｙ（０）の変化が小さく、したがって、光入射角による位相差の変化が小さい。
　　　【００８９】
　すなわち、図４は、二軸性位相差板におけるＲｘｙ（θ）／Ｒｘｙ（０）の光入射角による変化を、一軸性位相差板と比較して示したものであり、一軸性位相差板は、そのＲｘｙ（θ）／Ｒｘｙ（０）が図に破線で示したように、光の入射角によって大きく変化するため、光の入射角が大きくなると位相差が大きく変化してしまうが、二軸性位相差板は、光入射角によるＲｘｙ（θ）／Ｒｘｙ（０）の変化が図に実線で示すように小さく、したがって光入射角による位相差の変化が小さい。
　　　【００９０】
　なお、図４に示した一軸性位相差板のＲｘｙ（θ）／Ｒｘｙ（０）の値は、ｎｘ＝１．４，ｎｙ＝ｎｚ＝１．２である位相差板の値、二軸性位相差板のＲｘｙ（θ）／Ｒｘｙ（０）の値は、ｎｘ＝１．４，ｎｙ＝１．２，ｎｚ＝１．３である位相差板の値である。
　　　【００９１】
　このように、通常の一軸性位相差板は光の入射角によって位相差が大きく変化するため、上記カラー液晶表示装置に一軸性位相差板を用いたのでは、視角によって表示色がある程度変化してしまうが、二軸性位相差板は光の入射角に対する位相差の変化が小さいため、この二軸性位相差板を用いれば、視角による表示色の変化、つまり表示色の視角依存性がかなり小さくなる。
　　　【００９２】
　図５は、位相差板２３に、ｘ，ｙ，ｚ軸方向の屈折率ｎｘ，ｎｙ，ｎｚが、ｎｘ＞ｎｚ＞ｎｙの関係にある二軸性位相差板を用いた上記実施例のカラー液晶表示装置と、前記位相差板２３をｎｘ＞ｎｙ＝ｎｚの通常の一軸性位相差板に置き換えた比較装置との視角と表示色の色差（ΔＥ＊ａｂ）との関係を示しており、実線は実施例装置の視角による色差の変化を示し、破線は比較装置の視角による色差の変化を示している。
　　　【００９３】
　なお、実施例装置と比較装置は、いずれも、液晶セルの液晶分子ツイスト角をほぼ９０゜、液晶の複屈折率Δｎを０．０９２、液晶層厚を６μｍ、表側偏光板の透過軸に対する位相差板の遅相軸のずれ角をほぼ４５゜、表側偏光板の透過軸を液晶セルの表側基板の近傍における液晶分子の配向方向に対してほぼ直交、裏側偏光板の透過軸を表側偏光板の透過軸とほぼ平行にしたものであり、また実施例装置に用いたこ軸性位相差板はｎｘ＝１．４，ｎｙ＝１．２，ｎｚ＝１．３の位相差板、比較装置に用いたニ軸性位相差板はｎｘ＝１．４，ｎｙ＝ｎｚ＝１．２の位相差板である。ただし、これら位相差板の板厚はいずれも２．１５μｍである。
　　　【００９４】
　また、上記表示色の色差（ΔＥ＊ａｂ）は、視角が０゜、つまり表示装置の真正面から表示を見たときの色度を基準とした値であり、この基準色度と各視角での表示色の色度との差である。
　　　【００９５】
　この図５のように、ｘ，ｙ，ｚ軸方向の屈折率ｎｘ，ｎｙ，ｎｚがｎｘ＞ｎｙ＝ｎｚである通常の一軸性位相差板を用いた比較装置は、視角による色差の変化が大きく、したがって表示色の視角依存性が大きいが、ｎｘ＞ｎｚ＞ｎｙの二軸性位相差板を用いた実施例装置は、前記比較装置に比べて視角による色差の変化がかなり小さく、したがって表示色の視角依存性が小さいから、充分広い視野角をもっている。
　　　【００９６】
　さらに、上記実施例のカラー液晶表示装置においては、液晶セル１０の液晶層１８の複屈折性は温度によって変化するが、位相差板２３の温度による複屈折性の変化は極く小さいため、液晶セル１０の液晶層１８と位相差板２３との全体の複屈折性は、温度依存性の小さい特性であり、したがって、温度による表示色の色変化も小さい。
　　　【００９７】
　なお、上記実施例では、位相差板２３を表側偏光板２１と液晶セル１０との間に設けているが、この位相差板２３は裏側偏光板２２と液晶セル１０との間に設けてもよく、また、位相差板２３の遅相軸２３ａとこの位相差板２３が隣接する偏光板２１（または２２）の透過軸２１ａ（または２２ａ）とのずれ角も任意でよい。ただし、位相差板２３の偏光作用による着色効果を十分に得るには、前記ずれ角は４５±５°が望ましい。
　　　【００９８】
　また、上記実施例のカラー液晶表示装置は、その裏面に反射板２５を設けた反射型のものであるが、この液晶表示装置は、前記反射板２５をなくして透過型装置として使用することも可能である。
　　　【００９９】
　　［第２の実施例］
　なお、上記第１の実施例では、液晶セル１０の液晶分子のツイスト角を８０゜〜１１０°としたが、この液晶セル１０の液晶分子のツイスト角は、１８０°〜２７０°にしてもよい。
　　　【０１００】
　図６は、本発明の第２の実施例を示す、液晶セル１０の液晶分子配向方向と、偏光板２１，２２透過軸の向きと、位相差板２３の遅相軸の向きとを示す表面側から見た図であり、この実施例では、液晶セル１０の液晶分子のツイスト角を、ほぼ２５０°としている。
　　　【０１０１】
　なお、この実施例のカラー液晶表示装置は、液晶セルの液晶分子のツイスト角をほぼ２５０°としたものであるが、表示装置全体の基本的な構成は図１に示したものと同じであるから、その説明は省略する。
　　　【０１０２】
　この実施例では、図７のように、液晶セル１０の裏側基板１２の近傍における液晶分子の配内方向１２ａを、液晶セル１０の横軸Ｓに対し、表面側から見て右回りにほぼ１００°の方向、表側基板１１の近傍における液晶分子の配向方向１１ａは、前記裏側基板１２の近傍における液晶分子の配向方向１２ａに対し、表面側から見て右回りにほぼ７０°の方向にし、液晶分子を、裏側基板１２側から表側基板１１側に向かい表面側から見て右回りにほぼ２５０°のツイスト角でツイスト配向させている。
　　　【０１０３】
　また、この実施例では、表側偏光板２１の透過軸２１ａと、裏側偏光板２２の透過軸２２ａとを次のような向きにするとともに、位相差板２３の遅相軸２３ａを、表側偏光板２１の透過軸２１ａに対して所定角度斜めにずらしている。
　　　【０１０４】
　すなわち、液晶セル１０の裏側基板１２の近傍における液晶分子の配向方向１２ａを基準方向（０゜の方向）としたとき、表側偏光板２１の透過軸２１ａは、前記基準方向に対して、表面側から見て液晶セル１０の液晶分子ツイスト方向と逆方向（左回り）にほぼ５５°の方向にあり、裏側偏光板２２の透過軸２２ａは、上記基準方向に対して、表面側から見て前記液晶分子ツイスト方向と逆方向にほぼ４５°の方向にある。
　　　【０１０５】
　また、位相差板２３の遅相軸２３ａは、上記基準方向に対して、表面側から見て前記液晶分子ツイスト方向と同方向（右回り）にほぼ８０゜の方向にあり、この位相差板２３の遅相軸２３ａは、表側偏光板２１の透過軸２１ａに対して、表面側から見て前記液晶分子ツイスト方向と逆方向に４５゜ずれている。
　　　【０１０６】
　また、この実施例では、上記液晶セル１０として、液晶の屈折率異方性Δｎと液晶層厚ｄとの積Δｎ・ｄの値が８８０ｎｍのものを用いている。なお、この液晶セル１０の液晶の複屈折率Δｎおよび液晶層厚ｄは、
　　　　Δｎ＝０．１３
　　　　ｄ＝６．８μｍ
である。
　　　【０１０７】
　なお、上記二軸性位相差板２３は、第１の実施例で用いたものと同じものであり、そのリタデーションの値は４３０ｎｍ（ｎｘ＝１．４，ｎｙ＝１．２，ｎｚ＝１．３，ｄ＝２．１５μｍ）である。
　　　【０１０８】
　この実施例のカラー液晶表示装置は、表面側から入射する外光を裏面側の反射板２５で反射させて表示するものであり、液晶セル１０の両基板１１，１２の電極１３，１４間に電圧を印加して表示駆動される。
　　　【０１０９】
　そして、このカラー液晶表示装置においては、その表面側から表側偏光板２１を透過して入射した直線偏光が、位相差板２３および液晶セル１０を順次透過する間に、前記位相差板２３の複屈折効果および液晶セル１０の液晶層１８の複屈折効果により偏光状態を変えられて裏側偏光板２２に入射し、この裏側偏光板２２を透過した光が着色光になる。
　　　【０１１０】
　この光の着色について説明すると、液晶表示装置に入射する外光は、表側偏光板２１を透過して直線偏光となった後に、まず位相差板２３に入射するが、この位相差板２３遅相軸２３ａが前記表側偏光板２１の透過軸２１ａに対して所定角度（この実施例ではほぼ４５゜）斜めにずれているため、表側偏光板２１を透過した直線偏光が、位相差板２３を透過する間にそのリタデーションの値に応じた複屈折作用を受け、各波長光がそれぞれ偏光状態の異なる楕円偏光となる。
　　　【０１１１】
　また、上記位相差板２３を透過した光は、液晶セル１０に入射し、その液晶層１８を透過する間に、この液晶セル１０のΔｎ・ｄの値と液晶分子の配向状態とに応じた複屈折作用を受け、各波長光の楕円偏光の状態がさらに変化した光になる。
　　　【０１１２】
　この場合、この実施例では、液晶セル１０の液晶分子のツイスト角をほぼ２５０°と大きくしているため、液晶セル１０の液晶層１８の複屈折作用は、上述した第１の実施例よりも大きい。
　　　【０１１３】
　そして、このように、位相差板２３の複屈折効果と液晶セル１０の液晶層１８の複屈折効果とによって各波長光がそれぞれ偏光状態の異なる楕円偏光となった光は、裏側偏光板２２に入射し、その光のうち、裏側偏光板２２の透過軸２２ａに沿った成分の光だけがこの裏側偏光板２２を透過して、この透過光（直線偏光）が、その透過光を構成する各波長光の光量比に応じた色の着色光になる。
　　　【０１１４】
　この着色光の色は、一対の偏光板２１，２２の透過軸２１ａ，２２ａおよび位相差板２３の遅相軸２３ａの向きと、液晶セル１０の両基板１１，１２の近傍における液晶分子の配向方向１１ａ，１２ａと、液晶セル１０のΔｎ・ｄの値および位相差板２３のリタデーションの値とを、裏側偏光板２２を透過した光を構成する各波長光の光量比が所望の着色光に対応した比率になるように設定することによって任意に選ぶことができる。
　　　【０１１５】
　また、裏側偏光板２２を透過した着色光は、反射板２５で反射されて上述した光経路と逆の経路で液晶表示装置の上面側に出射し、この着色光によってカラー画像が表示される。
　　　【０１１６】
　この反射板２５で反射された着色光は、位相差板２３および液晶セル１０の液晶層１８の複屈折効果により各波長光がそれぞれ偏光状態の異なる楕円偏光となった光のうちの、裏側偏光板２２の透過軸２２ａに沿った成分の光だけであり、その波長域の域端の極く僅かな波長成分の光は、液晶セル１０および位相差板２３を再び透過する過程で複屈折されて表側偏光板２１で吸収されるため、表側偏光板２１を透過して出射する着色光は、反射板２５で反射された着色光よりもさらに色純度が良くなった光となる。
　　　【０１１７】
　すなわち、このカラー液晶表示装置は、カラーフィルタを用いずに、位相差板２３の複屈折効果と、液晶セル１０の液晶層１８の複屈折効果と、一対の偏光板２１，２２の偏光作用とを利用して光を着色するものであり、したがってカラーフィルタによる光の吸収がないから、光の透過率を高くすることができる。このため、上記カラー液晶表示装置は、反射型のものであっても、非常に明るいカラー表示を得ることができる。
　　　【０１１８】
　また、このカラー液晶表示装置においては、上記位相差板２３の複屈折性はこの位相差板２３のリタデーションの値によって決まるが、液晶セル１０の液晶層１８の複屈折性が、その両基板１１，１２の電極１３，１４間に印加される電圧に応じた液晶分子の配向状態の変化によって変化し、それに応じて上記裏側偏光板２２に入射する各波長光の偏光状態が変化するため、液晶セル１０への印加電圧を制御することによって上記着色光の色を変化させることができ、したがって、同じ箇所、つまり同じ画素で、複数の色を表示することができる。
　　　【０１１９】
　このカラー液晶表示装置の表示色は、一対の偏光板２１，２２の透過軸２１ａ，２２ａおよび位相差板２３の遅相軸２３ａの向きと、液晶セル１０の両基板１１，１２の近傍における液晶分子の配向方向１１ａ，１２ａと、液晶セル１０のΔｎ・ｄの値および位相差板２３のリタデーションの値と、液晶セル１０への印加電圧値とによって決まる。
　　　【０１２０】
　このカラー液晶表示装置の表示色について説明すると、図６に示したように、液晶セル１０の液晶分子のツイスト角がほぼ２５０゜、表側偏光板２１の透過軸２１ａと位相差板２３の遅相軸２３ａとのずれ角がほぼ４５°であって、
　液晶セル１０の裏側基板１２の近傍における液晶分子の配向方向１２ａを基準方向としたとき、
　表側偏光板２１の透過軸２１ａが前記基準方向に対し表面側から見て液晶セル１０の液晶分子ツイスト方向と逆方向にほぼ５５°の方向、裏偏光板２２の透過軸２２ａが前記基準方向に対し表面側から見て前記液晶分子ツイスト方向と逆方向にほぼ４５°の方向、位相差板２３の遅相軸２３ａが前記基準方向に対し表面側から見て前記液晶分子ツイスト方向と同方向にほぼ８０゜の方向にあり、
　液晶セル１０のΔｎ・ｄの値が８８０ｎｍ、位相差板２３のリタデーションの値が４３０ｎｍである場合、
　液晶セル１０への印加電圧と表示色の関係は次のようになる。なお、ここで、印加電圧値は実効値であり、表示色は、液晶表示装置の表示を真正面から見たときの色である。
　　　【０１２１】
　　　　（印加電圧）　　　　（表示色）
　　　　２．０４ｖ以下　　　　赤
　　　２．１８〜２．２２ｖ　　緑
　　　　２．４４ｖ以上　　　　青
　このように、上記カラー液晶表示装置の表示色は、液晶セル１０に印加する電圧を高くしていくのにともなって、赤→緑→青の順に変化するため、１つの画素で、光の三原色である赤，緑，青を表示することができる。
　　　【０１２２】
　なお、ここでは、液晶セル１０の液晶分子のツイスト角をほぼ２５０°、液晶セル１０のΔｎ・ｄの値を８８０ｎｍ、位相差板２３のリタデーションの値を４３０ｎｍとしたが、
　液晶セル１０の液晶分子のツイスト角が１８０°〜２７０゜の範囲（望ましくは２５０゜±１０°）で、表側偏光板２１の透過軸２１ａに対する位相差板２３の遅相軸２３ａのずれ角が４５°±５°であり、
　液晶セル１０の裏側基板１２の近傍における液晶分子の配向方向を基準方向としたとき、
　表側偏光板２１の透過軸２１ａが前記基準方向に対し表面側から見て液晶セル１０の液晶分子ツイスト方向と逆方向に５５゜±１０゜の方向、裏側偏光板２２の透過軸２２ａが前記基準方向に対し表面側から見て前記液晶分子ツイスト方向と逆方向に４５゜±１０゜の方向、位相差板２３の遅相軸２３ａが前記基準方向に対し表面側から見て前記液晶分子ツイスト方向と同方向に８０゜±１０°の方向にあり、
　前記液晶セル１０のΔｎ・ｄの値が８５０ｎｍ〜９１０ｎｍ、位相差板２３のリタデーションの値が４００ｎｍ〜４６０ｎｍの範囲であれば、上記赤，緑，青の表示色が得られる。
　　　【０１２３】
　しかも、上記カラー液晶表示装置においては、液晶セル１０の液晶層１８の複屈折性は光の入射角によって変化するが、位相差板２３の複屈折性は光の入射角が変化してもほとんど変わらないし、また、前記位相差板２３が、遅相軸２３ａであるＸ軸方向の屈折率ｎｘと、ｙ軸方向の屈折率ｎｙおよびｚ軸方向の屈折率ｎｚとが、ｎｘ＞ｎｚ＞ｎｙの関係にある二軸性位相差板であるため、光が液晶セル１０の液晶層１８を垂直に透過したときと斜めに透過したときとの位相差が前記二軸性位相差板２３によって補償されるから、視野角が広くなる。
　　　【０１２４】
　この視野角の広さは、第１の実施例において説明した通りであり、前記位相差板２３に通常の一軸性位相差板を用いたのでは、視角によって表示色がある程度変化してしまうが、二軸性位相差板は光の入射角に対する位相差の変化が小さいため、この二軸性位相差板を用いれば、視角による表示色の変化、つまり表示色の視角依存性がかなり小さくなるから、視野角を充分広くすることができる。
　　　【０１２５】
　さらに、このカラー液晶表示装置においては、液晶セル１０の液晶層１８の複屈折性は温度によって変化するが、位相差板２３の温度による複屈折性の変化は極く小さいため、液晶セル１０の液晶層１８と位相差板２３との全体の複屈折性は、温度依存性の小さい特性であり、したがって、温度による表示色の色変化も小さい。
　　　【０１２６】
　なお、上記実施例では、位相差板２３を表側偏光板２１と液晶セル１０との間に設けているが、この位相差板２３は裏側偏光板２２と液晶セル１０との間に設けてもよく、また、位相差板２３の遅相軸２３ａとこの位相差板２３が隣接する偏光板２１（または２２）の透過軸２１ａ（または２２ａ）とのずれ角も任意でよい。ただし、位相差板２３の偏光作用による着色効果を十分に得るには、前記ずれ角は４５±５°が望ましい。
　　　【０１２７】
　また、上記実施例のカラー液晶表示装置は、その裏面に反射板２５を設けた反射型のものであるが、この液晶表示装置は、前記反射板２５をなくして透過型装置として使用することも可能である。
　　　【０１２８】
　　［第３の実施例］
　なお、上記第２の実施例では、液晶セル１０の液晶分子のツイスト角を１８０°〜２７０°としたが、この液晶セル１０の液晶分子のツイスト角は、第１の実施例より若干大きく上記第２の実施例よりは小さい、１１０°〜１３０°にしてもよい。
　　　【０１２９】
　図７は本発明の第３の実施例を示す、液晶セル１０の液晶分子配向方向と、偏光板２１，２２の透過軸の向きと、位相差板２３の遅相軸の向きとを示す表面側から見た図であり、この実施例では、液晶セル１０の液晶分子のツイスト角を、１１０°〜１３０°としている。
　　　【０１３０】
　なお、この実施例のカラー液晶表示装置は、液晶セルの液晶分子のツイスト角をほぼ２５０°としたものであるが、表示装置全体の基本的な構成は図１に示したものと同じであるから、その説明は省略する。
　　　【０１３１】
　この実施例では、図７のように、液晶セル１０の裏側基板１２の近傍における液晶分子の配向方向１２ａを、液晶セル１０の横軸Ｓに対し、表面側から見て右回りに３０゜±５゜の方向、表側基板１１の近傍における液晶分子の配向方向１１ａを、前記裏側基板１２の近傍における液晶分子の配向方向１２ａに対し、表面側から見て左回りに６０゜±５°の方向にし、液晶分子を、裏側基板１２側から表側基板１１側に向かい表面側から見て右回りに１２０°±１０°（１１０°〜１３０°）のツイスト角でツイスト配向させている。
　　　【０１３２】
　また、この実施例では、表側偏光板２１の透過軸２１ａと、裏側偏光板２２の透過軸２２ａとを次のような向きにするとともに、位相差板２３の遅相軸２３ａを、表側偏光板２１の透過軸２１ａに対して所定角度斜めにずらしている。
　　　【０１３３】
　すなわち、表側偏光板２１の透過軸２１ａは、液晶セル１０の裏側基板１２の近傍における液晶分子の配向方向１２ａを基準方向（０°の方向）としたとき、この基準方向に対して、表面側から見て液晶セル１０の液晶分子ツイスト方向と逆方向（左回り）に９０°±１０°の方向にあり、裏側偏光板２２の透過軸２２ａは、上記基準方向に対して、表面側から見て前記液晶分子ツイスト方向と逆方向に５０°±１０゜の方向にある。
　　　【０１３４】
　また、位相差板２３の遅相軸２３ａは、上記基準方向に対して、表面側から見て前記液晶分子ツイスト方向と逆方向に１００°±１０°の方向にあり、この位相差板２３の遅相軸２３ａは、表側偏光板２１の透過軸２１ａに対し、表面側から見て前記液晶分子ツイスト方向と逆方向に１０゜±５゜ずれている。
　　　【０１３５】
　そして、この実施例では、上記液晶セル１０として、液晶の屈折率異方性Δｎと液晶層厚ｄとの積Δｎ・ｄの値が８８０ｎｍ〜９７０ｎｍ（Δｎ＝０．１０５±０．０５，ｄ＝８．８μｍ±０．２μｍ）のものを用い、上記二軸性位相差板２３として、リタデーションの値が１４７０ｎｍ〜１５３０ｎｍのものを用いている。
　　　【０１３６】
　この実施例のカラー液晶表示装置は、表面側から入射する外光を裏面側の反射板２５で反射させて表示するものであり、液晶セル１０の両基板１１，１２の電極１３，１４間に電圧を印加して表示駆動される。
　　　【０１３７】
　そして、このカラー液晶表示装置においては、その表面側から表側偏光板２１を透過して入射した直線偏光が、位相差板２３および液晶セル１０を順次透過する間に、前記位相差板２３の複屈折効果および液晶セル１０の液晶層１８の複屈折効果により偏光状態を変えられて裏側偏光板２２に入射し、この裏側偏光板２２を透過した光が着色光になる。
　　　【０１３８】
　この光の着色について説明すると、液晶表示装置に入射する外光は、表側偏光板２１を透過して直線偏光となった後に、まず位相差板２３に入射するが、この位相差板２３遅相軸２３ａが前記表側偏光板２１の透過軸２１ａに対して所定角度（この実施例では１０°±５°）斜めにずれているため、表側偏光板２１を透過した直線偏光が、位相差板２３を透過する間にそのリタデーションの値に応じた複屈折作用を受け、各波長光がそれぞれ偏光状態の異なる楕円偏光となる。
　　　【０１３９】
　また、上記位相差板２３を透過した光は、液晶セル１０に入射し、その液晶層１８を透過する間に、この液晶セル１０のΔｎ・ｄの値と液晶分子の配向状態とに応じた複屈折作用を受け、各波長光の楕円偏光の状態がさらに変化した光になる。
　　　【０１４０】
　この場合、この実施例では、液晶セル１０の液晶分子をツイスト角を１２０°±１０゜にしているため、液晶セル１０の液晶層１８の複屈折作用は、上述した第１の実施例よりも大きい。
　　　【０１４１】
　そして、このように、位相差板２３の複屈折効果と液晶セル１０の液晶層１８の複屈折効果とによって各波長光がそれぞれ偏光状態の異なる楕円偏光となった光は、裏側偏光板２２に入射し、その光のうち、裏側偏光板２２の透過軸２２ａに沿った成分の光だけがこの裏側偏光板２２を透過して、この透過光（直線偏光）が、その透過光を構成する各波長光の光量比に応じた色の着色光になる。
　　　【０１４２】
　この着色光の色は、一対の偏光板２１，２２の透過軸２１ａ，２２ａおよび位相差板２３の遅相軸２３ａの向きと、液晶セル１０の両基板１１，１２の近傍における液晶分子の配向方向１１ａ，１２ａと、液晶セル１０のΔｎ・ｄの値および位相差板２３のリタデーションの値とを、裏側偏光板２２を透過した光を構成する各波長光の光量比が所望の着色光に対応した比率になるように設定することによって任意に選ぶことができる。
　　　【０１４３】
　また、裏側偏光板２２を透過した着色光は、反射板２５で反射されて上述した光経路と逆の経路で液晶表示装置の上面側に出射し、この着色光によってカラー画像が表示される。
　　　【０１４４】
　　この反射板２５で反射された着色光は、位相差板２３および液晶セル１０の液晶層１８の複屈折効果により各波長光がそれぞれ偏光状態の異なる楕円偏光となった光のうちの、裏側偏光板２２の透過軸２２ａに沿った成分の光だけであり、その波長域の域端の極く僅かな波長成分の光は、液晶セル１０および位相差板２３を再び透過する過程で複屈折されて表側偏光板２１で吸収されるため、表側偏光板２１を透過して出射する着色光は、反射板２５で反射された着色光よりもさらに色純度が良くなった光となる。
　　　　【０１４５】
　すなわち、このカラー液晶表示装置は、カラーフィルタを用いずに、位相差板２３の複屈折効果と、液晶セル１０の液晶層１８の複屈折効果と、一対の偏光板２１，２２の偏光作用とを利用して光を着色するものであり、したがってカラーフィルタによる光の吸収がないから、光の透過率を高くすることができる。このため、上記カラー液晶表示装置は、反射型のものであっても、非常に明るいカラー表示を得ることができる。
　　　【０１４６】
　また、このカラー液晶表示装置においては、上記位相差板２３の複屈折性はこの位相差板２３のリタデーションの値によって決まるが、液晶セル１０の液晶層１８の複屈折性が、その両基板１１，１２の電極１３，１４間に印加される電圧に応じた液晶分子の配向状態の変化によって変化し、それに応じて上記裏側偏光板２２に入射する各波長光の偏光状態が変化するため、液晶セル１０への印加電圧を制御することによって上記着色光の色を変化させることができ、したがって、同じ箇所、つまり同じ画素で、複数の色を表示することができる。
　　　【０１４７】
　このカラー液晶表示装置の表示色は、一対の偏光板２１，２２の透過軸２１ａ，２２ａおよび位相差板２３の遅相軸２３ａの向きと、液晶セル１０の両基板１１，１２の近傍における液晶分子の配向方向１１ａ，１２ａと、液晶セル１０のΔｎ・ｄの値および位相差板２３のリタデーションの値と、液晶セル１０への印加電圧値とによって決まる。
　　　【０１４８】
　このカラー液晶表示装置の表示色について説明すると、図７に示したように、液晶セル１０の液晶分子のツイスト角が１２０°±１０°、表側偏光板２１の透過軸２１ａと位相差板２３の遅相軸２３ａとのずれ角が１０°±５°であって、
　液晶セル１０の裏側基板１２の近傍における液晶分子の配向方向１２ａを基準方向としたとき、
　表側偏光板２１の透過軸２１ａが前記基準方向に対し表面側から見て液晶セル１０の液晶分子ツイスト方向と逆方向に９０°±１０°の方向、裏偏光板２２の透過軸２２ａが前記基準方向に対し表面側から見て前記液晶分子ツイスト方向と逆方向に５０゜±１０゜の方向、位相差板２３の遅相軸２３ａが前記基準方向に対し表面側から見て前記液晶分子ツイスト方向と逆方向に１００゜±１０゜の方向にあり、
　液晶セル１０のΔｎ・ｄの値が８８０ｎｍ〜９７０ｎｍ、位相差板２３のリタデーションの値が１４７０ｎｍ〜１５３０ｎｍである場合、
　液晶セル１０への印加電圧と表示色の関係は次のようになる。なお、ここで、印加電圧値は実効値であり、表示色は、液晶表示装置の表示を真正面から見たときの色である。
　　　【０１４９】
　　　　（印加電圧）　　　（表示色）
　　　　１．２０ｖ以下　　　　緑
　　　１．２１〜１．６０ｖ　　青
　　　１．７０〜２．１０ｖ　　赤
　　　　２．１１ｖ以上　　　　白
　このように、上記カラー液晶表示装置の表示色は、液晶セル１０に印加する電圧を高くしていくのにともなって、緑→青→赤→白の順に変化するため、１つの画素で、光の三原色である赤，緑，青と、白とを表示することができる。
　　　【０１５０】
　しかも、上記カラー液晶表示装置においては、液晶セル１０の液晶層１８の複屈折性は光の入射角によって変化するが、位相差板２３の複屈折性は光の入射角が変化してもほとんど変わらないし、また、前記位相差板２３が、遅相軸２３ａであるＸ軸方向の屈折率ｎｘと、ｙ軸方向の屈折率ｎｙおよびｚ軸方向の屈折率ｎｚとが、ｎｘ＞ｎｚ＞ｎｙの関係にある二軸性位相差板であるため、光が液晶セル１０の液晶層１８を垂直に透過したときと斜めに透過したときとの位相差が前記二軸性位相差板２３によって補償されるから、視野角が広くなる。
　　　【０１５１】
　この視野角の広さは、第１の実施例において説明した通りであり、前記位相差板２３に通常の一軸性位相差板を用いたのでは、視角によって表示色がある程度変化してしまうが、二軸性位相差板は光の入射角に対する位相差の変化が小さいため、この二軸性位相差板を用いれば、視角による表示色の変化、つまり表示色の視角依存性がかなり小さくなるから、視野角を充分広くすることができる。
　　　【０１５２】
　さらに、このカラー液晶表示装置においては、液晶セル１０の液晶層１８の複屈折性は温度によって変化するが、位相差板２３の温度による複屈折性の変化は極く小さいため、液晶セル１０の液晶層１８と位相差板２３との全体の複屈折性は、温度依存性の小さい特性であり、したがって、温度による表示色の色変化も小さい。
　　　【０１５３】
　なお、上記実施例では、一対の偏光板２１，２２の透過軸２１ａ，２２ａおよび位相差板２３の遅相軸２３ａを、図７に示すように設定したが、これらの軸方向は、例えば次のように設定してもよい。
　　　【０１５４】
　図８は、上記第３の実施例のカラー液晶表示装置における、偏光板２１，２２の透過軸２１ａ，２２ａおよび位相差板２３の遅相軸２３ａの向きの他の設定例を示す表面側から見た図である。
　　　【０１５５】
　この例において、液晶セル１０の裏側基板１２の近傍における液晶分子の配向方向１２ａは、液晶セル１０の横軸Ｓに対し、表面側から見て右回りに３０゜±５゜の方向、表側基板１１の近傍における液晶分子の配向方向１１ａは、前記裏側基板１２の近傍における液晶分子の配向方向１２ａに対し、表面側から見て左回りに６０°±５°の方向にあり、液晶分子は、裏側基板１２側から表側基板１１側に向かい表面側から見て右回りに１２０°±１０°（１１０°〜１３０°）のツイスト角でツイスト配向している。
　　　【０１５６】
　そして、表側偏光板２１の透過軸２１ａは、液晶セル１０の裏側基板１２の近傍における液晶分子の配向方向１２ａを基準方向（０゜の方向）としたとき、この基準方向に対して、表面側から見て液晶セル１０の液晶分子ツイスト方向と逆方向（左回り）に３０゜±１０゜の方向にあり、裏側偏光板２２の透過軸２２ａは、上記基準方向に対して、表面側から見て前記液晶分子ツイスト方向と逆方向に１５０°±１０°の方向にある。
　　　【０１５７】
　また、位相差板２３の遅相軸２３ａは、上記基準方向に対して、表面側から見て前記液晶分子ツイスト方向と逆方向に１００°±１０°の方向にあり、この位相差板２３の遅相軸２３ａは、表側偏光板２１の透過軸２１ａに対し、表面側から見て前記液晶分子ツイスト方向と逆方向に７０°±１０゜ずれている。
　　　【０１５８】
　さらに、この例では、上記液晶セル１０として、液晶の屈折率異方性Δｎと液晶層厚ｄとの積Δｎ・ｄの値が８８０ｎｍ〜９７０ｎｍ（Δｎ＝０．１０５±０．０５，ｄ＝８．８μｍ±０．２μｍ）のものを用い、二軸性位相差板２３として、リタデーションの値が１２７０ｎｍ〜１３３０ｎｍのものを用いている。
　　　【０１５９】
　このように、液晶セル１０の液晶分子のツイスト角が１２０°±１０°、表側偏光板２１の透過軸２１ａと位相差板２３の遅相軸２３ａとのずれ角が７０°±１０°であって、
　液晶セル１０の裏側基板１２の近傍における液晶分子の配向方向１２ａを基準方向としたとき、
　表側偏光板２１の透過軸２１ａが前記基準方向に対し表面側から見て液晶セル１０の液晶分子ツイスト方向と逆方向に３０゜±１０゜の方向、裏偏光板２２の透過軸２２ａが前記基準方向に対し表面側から見て前記液晶分子ツイスト方向と逆方向に１５０°±１０°の方向、位相差板２３の遅相軸２３ａが前記基準方向に対し表面側から見て前記液晶分子ツイスト方向と逆方向に１００゜±１０゜の方向にあり、
　液晶セル１０のΔｎ・ｄの値が８８０ｎｍ〜９７０ｎｍ、位相差板２３のリタデーションの値が１２７０ｎｍ〜１３３０ｎｍである場合、
　液晶セル１０への印加電圧と表示色の関係は次のようになる。なお、ここで、印加電圧値は実効値であり、表示色は、液晶表示装置の表示を真正面から見たときの色である。
　　　【０１６０】
　　　　（印加電圧）　　　（表示色）
　　　　１．３０ｖ以下　　　　白
　　　１．３１〜１．６０ｖ　　青
　　　　１．６１ｖ以上　　　　赤
　すなわち、この例では、表示色が、液晶セル１０に印加する電圧を高くしていくのにともなって、白→青→赤の順に変化する。
　　　【０１６１】
　なお、上記実施例では、位相差板２３を表側偏光板２１と液晶セル１０との間に設けているが、この位相差板２３は裏側偏光板２２と液晶セル１０との間に設けてもよく、また、位相差板２３の遅相軸２３ａとこの位相差板２３が隣接する偏光板２１（または２２）の透過軸２１ａ（または２２ａ）とのずれ角も任意でよい。
　　　【０１６２】
　また、上記実施例のカラー液晶表示装置は、その裏面に反射板２５を設けた反射型のものであるが、この液晶表示装置は、前記反射板２５をなくして透過型装置として使用することも可能である。
　　　【０１６３】
　　［第４の実施例］
　次に、本発明の第４の実施例を図９および図１０を参照して説明する。この実施例のカラー液晶表示装置は、液晶分子のツイスト角が１８０°〜２７０°の液晶セルと２枚の二軸性位相差板を用いたものである。
　　　【０１６４】
　図９はカラー液晶表示装置の断面図であり、この液晶表示装置は、液晶セル１０と、この液晶セル１０をはさんでその表面側（図において上面側）と裏面側（図において下面側）に配置された一対の偏光板２１，２２と、液晶セル１０の表面側に配置された表側偏光板２１と前記液晶セル１０との間に配置された第１の位相差板２３と、液晶セル１０の裏面側に配置された裏側偏光板２２と前記液晶セル１０との間に配置された第２の位相差板２４と、前記裏側偏光板２２の背後に配置された反射板２５とからなっている。
　　　【０１６５】
　上記液晶セル１０は、液晶分子のツイスト角が１８０°〜２７０°のものであり、この実施例では、液晶分子のツイスト角を２５０°±２０°（２３０°〜２７０°にしている。なお、この液晶セル１０の基本的な構成は上述した第１の実施例における液晶セルと同じであるから、重複する説明は図に同符号を付して省略する。
　　　【０１６６】
　また、上記第１および第２の位相差板２３，２４は、いずれも、その遅相軸であるＸ軸方向の屈折率ｎｘと、ｙ軸方向の屈折率ｎｙおよびｚ軸方向の屈折率ｎｚとが、ｎｘ＞ｎｚ＞ｎｙの関係にある二軸性位相板である。
　　　【０１６７】
　図１０は、この実施例のカラー液晶表示装置における、液晶セル１０の液晶分子配向方向と、偏光板２１，２２の透過軸の向きと、第１および第２の位相差板２３，２４の遅相軸の向きとを示す表面側から見た図である。
　　　【０１６８】
　この図１０のように、液晶セル１０の裏側基板１２の近傍における液晶分子の配向方向１２ａは、液晶セル１０の横軸Ｓに対し、表面側から見て左回りに３５゜±１０゜の方向、表側基板１１の近傍における液晶分子の配向方向１１ａは、前記裏側基板１２の近傍における液晶分子の配向方向１２ａに対し、表面側から見て右回りに７０°±１０°の方向にあり、液晶分子は、裏側基板１２側から表側基板１１側に向かい表面側から見て右回りに２５０゜±２０°（望ましくは２５０°±１０°）のツイスト角でツイスト配向している。
　　　【０１６９】
　また、この実施例では、表側偏光板２１の透過軸２１ａと、裏側偏光板２２の透過軸２２ａとを次のような向きにするとともに、表側偏光板２１と液晶セル１０との間に配置した第１の位相差板２３の遅相軸２３ａを、前記表側偏光板２１の透過軸２１ａに対して所定角度斜めにずらし、さらに、裏側偏光板２２と液晶セル１０との間に配置した第２の位相差板２４の遅相軸２４ａを、次のような向きにしている。
　　　【０１７０】
　すなわち、表側偏光板２１の透過軸２１ａは、液晶セル１０の裏側基板１２の近傍における液晶分子の配向方向１２ａを基準方向（０°の方向）としたとき、この基準方向に対して、表面側から見て液晶セル１０の液晶分子ツイスト方向と同方向（右回り）に８０゜±１０°の方向にあり、裏側偏光板２２の透過軸２２ａは、上記基準方向に対して、表面側から見て前記液晶分子ツイスト方向と同方向に４５°±１０°の方向にある。
　　　【０１７１】
　また、上記第１の位相差板２３の遅相軸２３ａは、上記基準方向に対して、表面側から見て前記液晶分子ツイスト方向と同方向に３５゜±１０°の方向にあり、この位相差板２３の遅相軸２３ａは、表側偏光板２１の透過軸２１ａに対し、表面側から見て前記液晶分子ツイスト方向と逆方向（左回り）に４５°±２０°ずれている。
　　　【０１７２】
　さらに、上記第２の位相差板２４の遅相軸２４ａは、上記基準方向に対して、表面側から見て前記液晶分子ツイスト方向と逆方向に１０゜±１０゜の方向にある。
　　　【０１７３】
　そして、この実施例では、上記液晶セル１０として、液晶の屈折率異方性Δｎと液晶層厚ｄとの積Δｎ・ｄの値が１３５０ｎｍ±１００ｎｍ（１２５０ｎｍ〜１４５０ｎｍ）のものを用いている。
　　　【０１７４】
　また、この実施例では、上記第１の二軸性位相差板２３として、リタデーションの値が１６００ｎｍ±３０ｎｍ（１５７０ｎｍ〜１６３０ｎｍ）、Ｎｚ値［Ｎｚ＝（ｎｘ−ｎｚ）／（ｎｘ−ｎｙ）］が０．３〜０．７（望ましくは０．４５±０．１）のものを用い、第２の二軸性位相差板２４として、リタデーションの値が１６００ｎｍ±３０ｎｍ（１５７０ｎｍ〜１６３０ｎｍ）、Ｎｚ値が０．３〜０．７（望ましくは０．４５±０．１）のものを用いている。
　　　【０１７５】
　この実施例のカラー液晶表示装置は、表面側から入射する外光を裏面側の反射板２５で反射させて表示するものであり、液晶セル１０の両基板１１，１２の電極１３，１４間に電圧を印加して表示駆動される。
　　　【０１７６】
　そして、このカラー液晶表示装置においては、その表面側から表側偏光板２１を透過して入射した直線偏光が、第１の位相差板２３と液晶セル１０と第２の位相差板２４とを順次透過する間に、前記位相差板２３，２４の複屈折効果および液晶セル１０の液晶層１８の複屈折効果により偏光状態を変えられて裏側偏光板２２に入射し、この裏側偏光板２２を透過した光が着色光になる。
　　　【０１７７】
　この光の着色について説明すると、液晶表示装置に入射する外光は、表側偏光板２１を透過して直線偏光となった後に、まず第１の位相差板２３に入射するが、この位相差板２３遅相軸２３ａが前記表側偏光板２１の透過軸２１ａに対して所定角度（この実施例では４５゜±２０°）斜めにずれているため、表側偏光板２１を透過した直線偏光が、第１の位相差板２３を透過する間にそのリタデーションの値に応じた複屈折作用を受け、各波長光がそれぞれ偏光状態の異なる楕円偏光となる。
　　　【０１７８】
　また、上記第１の位相差板２３を透過した光は、液晶セル１０に入射し、その液晶層１８を透過する間に、この液晶セル１０のΔｎ・ｄの値と液晶分子の配向状態とに応じた複屈折作用を受け、各波長光の楕円偏光の状態がさらに変化した光になる。
　　　【０１７９】
　この場合、この実施例では、液晶セル１０の液晶分子をツイスト角を２５０°±２０°にしているため、液晶セル１０の液晶層１８の複屈折作用は、上述した第１の実施例よりも大きい。
　　　【０１８０】
　さらに、上記液晶セルを透過した光は、第２の位相差板２４に入射し、そのリタデーションの値に応じた複屈折作用を受けて、各波長光の楕円偏光の状態がさらに変化した光になる。
　　　【０１８１】
　そして、このように、第１の位相差板２３の複屈折効果と液晶セル１０の液晶層１８の複屈折効果と第２の位相差板２４の複屈折効果とによって各波長光がそれぞれ偏光状態の異なる楕円偏光となった光は、裏側偏光板２２に入射し、その光のうち、裏側偏光板２２の透過軸２２ａに沿った成分の光だけがこの裏側偏光板２２を透過して、この透過光（直線偏光）が、その透過光を構成する各波長光の光量比に応じた色の着色光になる。
　　　【０１８２】
　この着色光の色は、一対の偏光板２１，２２の透過軸２１ａ，２２ａおよび２枚の位相差板２３，２４の遅相軸２３ａ，２４ａの向きと、液晶セル１０の両基板１１，１２の近傍における液晶分子の配向方向１１ａ，１２ａと、液晶セル１０のΔｎ・ｄの値と、第１の位相差板２３のリタデーションの値と、第２の位相差板２４のリタデーションの値とを、裏側偏光板２２を透過した光を構成する各波長光の光量比が所望の着色光に対応した比率になるように設定することによって任意に選ぶことができる。
　　　【０１８３】
　また、裏側偏光板２２を透過した着色光は、反射板２５で反射されて上述した光経路と逆の経路で液晶表示装置の上面側に出射し、この着色光によってカラー画像が表示される。
　　　【０１８４】
　この反射板２５で反射された着色光は、位相差板２３，２４および液晶セル１０の液晶層１８の複屈折効果により各波長光がそれぞれ偏光状態の異なる楕円偏光となった光のうちの、裏側偏光板２２の透過軸２２ａに沿った成分の光だけであり、その波長域の域端の極く僅かな波長成分の光は、第２の位相差板２４と液晶セル１０および第１の位相差板２３を再び透過する過程で複屈折されて表側偏光板２１で吸収されるため、表側偏光板２１を透過して出射する着色光は、反射板２５で反射された着色光よりもさらに色純度が良くなった光となる。
　　　【０１８５】
　すなわち、このカラー液晶表示装置は、カラーフィルタを用いずに、２枚の位相差板２３，２４の複屈折効果と、液晶セル１０の液晶層１８の複屈折効果と、一対の偏光板２１，２２の偏光作用とを利用して光を着色するものであり、したがってカラーフィルタによる光の吸収がないから、光の透過率を高くすることができる。このため、上記カラー液晶表示装置は、反射型のものであっても、非常に明るいカラー表示を得ることができる。
　　　【０１８６】
　また、このカラー液晶表示装置においては、上記位相差板２３，２４の複屈折性はこれら位相差板２３，２４のリタデーションの値によって決まるが、液晶セル１０の液晶層１８の複屈折性が、その両基板１１，１２の電極１３，１４間に印加される電圧に応じた液晶分子の配向状態の変化によって変化し、それに応じて上記裏側偏光板２２に入射する各波長光の偏光状態が変化するため、液晶セル１０への印加電圧を制御することによって上記着色光の色を変化させることができ、したがって、同じ箇所、つまり同じ画素で、複数の色を表示することができる。
　　　【０１８７】
　このカラー液晶表示装置の表示色は、一対の偏光板２１，２２の透過軸２１ａ，２２ａおよび２枚の位相差板２３，２４の遅相軸２３ａ，２４ａの向きと、液晶セル１０の両基板１１，１２の近傍における液晶分子の配向方向１１ａ，１２ａと、液晶セル１０のΔｎ・ｄの値および位相差板２３，２４のリタデーションの値と、液晶セル１０への印加電圧値とによって決まる。
　　　【０１８８】
　このカラー液晶表示装置の表示色について説明すると、図１０に示したように、液晶セル１０の液晶分子のツイスト角が２５０°±２０°、表側偏光板２１の透過軸２１ａと前記表側偏光板２１に隣接する第１の位相差板２３の遅相軸２３ａとのずれ角が４５°±２０°であって、
　液晶セル１０の裏側基板１２の近傍における液晶分子の配向方向１２ａを基準方向としたとき、
　表側偏光板２１の透過軸２１ａが前記基準方向に対し表面側から見て液晶セル１０の液晶分子ツイスト方向と同方向に８０°±１０°の方向、裏偏光板２２の透過軸２２ａが前記基準方向に対し表面側から見て前記液晶分子ツイスト方向と同方向に４５°±１０°の方向、前記第１の位相差板２３の遅相軸２３ａが前記基準方向に対し表面側から見て前記液晶分子ツイスト方向と同方向に３５゜±１０゜の方向、前記裏偏光板２２に隣接する第２の位相差板２４の遅相軸２４ａが前記基準方向に対し表面側から見て前記液晶分子ツイスト方向と逆方向に１０°±１０°の方向にあり、
　液晶セル１０のΔｎ・ｄの値が１３００ｎｍ±１００ｎｍ、第１の位相差板２３のリタデーションの値が１５００ｎｍ±３０ｎｍ、第２の位相差板２４のリタデーションの値が１５００ｎｍ±３０ｎｍである場合、
　液晶セル１０への印加電圧と表示色の関係は次のようになる。なお、ここで、印加電圧値は実効値であり、表示色は、液晶表示装置の表示を真正面から見たときの色である。
　　　【０１８９】
　　　　（印加電圧）　　　　（表示色）
　　　　２．３２ｖ以下　　　赤紫
　　　２．４２〜２．６０ｖ　白
　　　２．９８〜３．０２ｖ　青紫
　　　　３．５ｖ以上　　　　黒
　このように、上記カラー液晶表示装置の表示色は、液晶セル１０に印加する電圧を高くしていくのにともなって、赤紫→白→青紫→黒の順に変化する。
　　　【０１９０】
　しかも、上記カラー液晶表示装置においては、液晶セル１０の液晶層１８の複屈折性は光の入射角によって変化するが、位相差板２３，２４の複屈折性は光の入射角が変化してもほとんど変わらないし、また、前記位相差板２３，２４がいずれも、その遅相軸２３ａ，２４ａであるＸ軸方向の屈折率ｎｘと、ｙ軸方向の屈折率ｎｙおよびｚ軸方向の屈折率ｎｚとが、ｎｘ＞ｎｚ＞ｎｙの関係にある二軸性位相差板であるため、光が液晶セル１０の液晶層１８を垂直に透過したときと斜めに透過したときとの位相差が前記二軸性位相差板２３，２４によって補償されるから、視野角が広くなる。
　　　【０１９１】
　この視野角の広さは、第１の実施例において説明した通りであり、前記位相差板２３に通常の一軸性位相差板を用いたのでは、視角によって表示色がある程度変化してしまうが、二軸性位相差板は光の入射角に対する位相差の変化が小さいため、この二軸性位相差板を用いれば、視角による表示色の変化、つまり表示色の視角依存性がかなり小さくなる。
　　　【０１９２】
　さらに、このカラー液晶表示装置においては、液晶セル１０の液晶層１８の複屈折性は温度によって変化するが、位相差板２３，２４の温度による複屈折性の変化は極く小さいため、液晶セル１０の液晶層１８と位相差板２３，２４との全体の複屈折性は、温度依存性の小さい特性である。
　　　【０１９３】
　そして、この実施例では、２枚の二軸性位相差板２３，２４を用いているため、１枚の二軸性位相差板を用いている上述した第１〜第３の実施例よりも、光が液晶セル１０の液晶層１８を垂直に透過したときと斜めに透過したときとの位相差が２枚の二軸性位相差板２３，２４によってより効果的に補償されるから、視野角がさらに広くなるし、また、液晶セルの液晶層と２枚の位相差板との全体の複屈折性が、さらに温度依存性の小さい特性になるため、温度による表示色の色変化もより小さくすることができる。
　　　【０１９４】
　なお、上記実施例では、液晶セル１０の液晶分子のツイスト角を２５０゜±２０°（望ましくは２５０°±１０°）としたが、このツイスト角は、１８０°〜２７０°の範囲であればよい。
　　　【０１９５】
　また、上記実施例のカラー液晶表示装置は、その裏面に反射板２５を設けた反射型のものであるが、この液晶表示装置は、前記反射板２５をなくして透過型装置として使用することも可能である。
　　　【０１９６】
　　［第５の実施例］
　次に、本発明の第５の実施例を図１１および図１２を参照して説明する。この実施例のカラー液晶表示装置は、液晶分子のツイスト角が１８０゜〜２７０゜の液晶セルと２枚の二軸性位相差板を用いたものである。
　　　【０１９７】
　図１１はカラー液晶表示装置の断面図であり、この液晶表示装置は、液晶セル１０と、この液晶セル１０をはさんでその表面側（図において上面側）と裏面側（図において下面側）に配置された一対の偏光板２１，２２と、液晶セル１０の表面側に配置された表側偏光板２１と前記液晶セル１０との間に互いに重ねて配置された２枚の位相差板２３，２４と、前記裏側偏光板２２の背後に配置された反射板２５とからなっている。
　　　【０１９８】
　上記液晶セル１０は、液晶分子のツイスト角が１８０°〜２７０°のものであり、この実施例では、液晶分子のツイスト角を２５０゜±２０゜にしている。なお、この液晶セル１０の基本的な構成は上述した第１の実施例における液晶セルと同じであるから、重複する説明は図に同符号を付して省略する。
　　　【０１９９】
　また、上記２枚の位相差板２３，２４は、いずれも、その遅相軸であるｘ軸方向の屈折率ｎｘと、ｙ軸方向の屈折率ｎｙおよびｚ軸方向の屈折率ｎｚとが、ｎｘ＞ｎｚ＞ｎｙの関係にある二軸性位相板である。
　　　【０２００】
　図１２は、この実施例のカラー液晶表示装置における、液晶セル１０の液晶分と、偏光板２１，２２の透過軸の向きと、位相差板２３，２４の遅相軸の向きとを示す表面側から見た図である。
　　　【０２０１】
　この図１２のように、液晶セル１０の裏側基板１２の近傍における液晶分子の配向方向１２ａは、液晶セル１０の横軸Ｓに対し、表面側から見て左回りに３５°±１０°の方向、表側基板１１の近傍における液晶分子の配向方向１１ａは、前記裏側基板１２の近傍における液晶分子の配向方向１２ａに対し、表面側から見て右回りに７０°±１０°の方向にあり、液晶分子は、裏側基板１２側から表側基板１１側に向かい表面側から見て右回りに２５０°±２０゜（望ましくは２５０°±１０°）のツイスト角でツイスト配向している。
　　　【０２０２】
　また、この実施例では、表側偏光板２１の透過軸２１ａと、裏側偏光板２２の透過軸２２ａとを次のような向きにするとともに、上記２枚の位相差板２３のうちの表側偏光板２１に隣接する第１の位相差板２３の遅相軸２３ａを、前記表側偏光板２１の透過軸２１ａに対して所定角度斜めにずらし、液晶セル１０に隣接する第２の位相差板２４の遅相軸２４ａを次のような向きにしている。
　　　【０２０３】
　すなわち、表側偏光板２１の透過軸２１ａは、液晶セル１０の裏側基板１２の近傍における液晶分子の配向方向１２ａを基準方向（０°の方向）としたとき、この基準方向に対して、表面側から見て液晶セル１０の液晶分子ツイスト方向と逆方向（左回り）に５０゜±１０゜の方向にあり、裏側偏光板２２の透過軸２２ａは、上記基準方向に対して、表面側から見て前記液晶分子ツイスト方向と同方向（右回り）に４５゜±１０゜の方向にある。
　　　【０２０４】
　また、第１の位相差板２３の遅相軸２３ａは、上記基準方向に対して、表面側から見て前記液晶分子ツイスト方向と同方向に２５゜±１０゜の方向にあり、この位相差板２３の遅相軸２３ａは、表側偏光板２１の透過軸２１ａに対し、表面側から見て前記液晶分子ツイスト方向と逆方向に７５°±２０゜ずれている。
　　　【０２０５】
　さらに、第２の位相差板２４の遅相軸２４ａは、上記基準方向に対して、表面側から見て前記液晶分子ツイスト方向と逆方向に１５゜±１０゜の方向にある。この第２の位相差板２４の遅相軸２４ａと、前記第１の位相差板２３の遅相軸２３ａとのずれ角は４０°±２０°である。
　　　【０２０６】
　そして、この実施例では、上記液晶セル１０として、液晶の屈折率異方性Δｎと液晶層厚ｄとの積Δｎ・ｄの値が１３５０ｎｍ±１００ｎｍ（１２５０ｎｍ〜１４５０ｎｍ）のものを用いている。
　　　【０２０７】
　また、この実施例では、上記第１の二軸性位相差板２３として、リタデーションの値が１６００ｎｍ±３０ｎｍ（１５７０ｎｍ〜１６３０ｎｍ）、Ｎｚ値［Ｎｚ＝（ｎｘ−ｎｚ）／（ｎｘ−ｎｙ）］が０．３〜０．７（望ましくは０．４５±０．１）のものを用い、第２の二軸性位相差板２４として、リタデーションの値が１５５０ｎｍ±３０ｎｍ（１５２０ｎｍ〜１５８０ｎｍ）、Ｎｚ値が０．３〜０．７（望ましくは０．４５±０．１）のものを用いている。
　　　【０２０８】
　この実施例のカラー液晶表示装置は、表面側から入射する外光を裏面側の反射板２５で反射させて表示するものであり、液晶セル１０の両基板１１，１２の電極１３，１４間に電圧を印加して表示駆動される。
　　　【０２０９】
　そして、このカラー液晶表示装置においては、その表面側から表側偏光板２１を透過して入射した直線偏光が、第１の位相差板２３と第２の位相差板２４と液晶セル１０とを順次透過する間に、前記位相差板２３，２４の複屈折効果および液晶セル１０の液晶層１８の複屈折効果により偏光状態を変えられて裏側偏光板２２に入射し、この裏側偏光板２２を透過した光が着色光になる。
　　　【０２１０】
　この光の着色について説明すると、液晶表示装置に入射する外光は、表側偏光板２１を透過して直線偏光となった後に、まず第１の位相差板２３に入射するが、この位相差板２３遅相軸２３ａが前記表側偏光板２１の透過軸２１ａに対して所定角度（この実施例では５０°±２０°）斜めにずれているため、表側偏光板２１を透過した直線偏光が、第１の位相差板２３を透過する間にそのリタデーションの値に応じた複屈折作用を受け、各波長光がそれぞれ偏光状態の異なる楕円偏光となる。
　　　【０２１１】
　また、上記第１の位相差板２３を透過した光は、第２の位相差板２４に入射し、そのリタデーションの値に応じた複屈折作用を受けて、各波長光の楕円偏光の状態がさらに変化した光になる。
　　　【０２１２】
　さらに、上記第２の位相差板２４を透過した光は、液晶セル１０に入射し、その液晶層１８を透過する間に、この液晶セル１０のΔｎ・ｄの値と液晶分子の配向状態とに応じた複屈折作用を受け、各波長光の楕円偏光の状態がさらに変化した光になる。
　　　【０２１３】
　この場合、この実施例では、液晶セル１０の液晶分子をツイスト角を２５０°±２０°にしているため、液晶セル１０の液晶層１８の複屈折作用は、上述した第１の実施例よりも大きい。
　　　【０２１４】
　そして、このように、第１の位相差板２３の複屈折効果と第２の位相差板２４の複屈折効果と液晶セル１０の液晶層１８の複屈折効果とによって各波長光がそれぞれ偏光状態の異なる楕円偏光となった光は、裏側偏光板２２に入射し、その光のうち、裏側偏光板２２の透過軸２２ａに沿った成分の光だけがこの裏側偏光板２２を透過して、この透過光（直線偏光）が、その透過光を構成する各波長光の光量比に応じた色の着色光になる。
　　　【０２１５】
　この着色光の色は、一対の偏光板２１，２２の透過軸２１ａ，２２ａおよび２枚の位相差板２３，２４の遅相軸２３ａ，２４ａの向きと、液晶セル１０の両基板１１，１２の近傍における液晶分子の配向方向１１ａ，１２ａと、液晶セル１０のΔｎ・ｄの値と、第１の位相差板２３のリタデーションの値と、第２の位相差板２４のリタデーションの値とを、裏側偏光板２２を透過した光を構成する各波長光の光量比が所望の着色光に対応した比率になるように設定することによって任意に選ぶことができる。
　　　【０２１６】
　また、裏側偏光板２２を透過した着色光は、反射板２５で反射されて上述した光経路と逆の経路で液晶表示装置の上面側に出射し、この着色光によってカラー画像が表示される。
　　　【０２１７】
　この反射板２５で反射された着色光は、位相差板２３，２４および液晶セル１０の液晶層１８の複屈折効果により各波長光がそれぞれ偏光状態の異なる楕円偏光となった光のうちの、裏側偏光板２２の透過軸２２ａに沿った成分の光だけであり、その波長域の域端の極く僅かな波長成分の光は、液晶セル１０と第２の位相差板２４および第１の位相差板２３を再び透過する過程で複屈折されて表側偏光板２１で吸収されるため、表側偏光板２１を透過して出射する着色光は、反射板２５で反射された着色光よりもさらに色純度が良くなった光となる。
　　　【０２１８】
　すなわち、このカラー液晶表示装置は、カラーフィルタを用いずに、２枚の位相差板２３，２４の複屈折効果と、液晶セル１０の液晶層１８の複屈折効果と、一対の偏光板２１，２２の偏光作用とを利用して光を着色するものであり、したがってカラーフィルタによる光の吸収がないから、光の透過率を高くすることができる。このため、上記カラー液晶表示装置は、反射型のものであっても、非常に明るいカラー表示を得ることができる。
　　　【０２１９】
　また、このカラー液晶表示装置においては、上記位相差板２３，２４の複屈折性はこれら位相差板２３，２４のリタデーションの値によって決まるが、液晶セル１０の液晶層１８の複屈折性が、その両基板１１，１２の電極１３，１４間に印加される電圧に応じた液晶分子の配向状態の変化によって変化し、それに応じて上記裏側偏光板２２に入射する各波長光の偏光状態が変化するため、液晶セル１０への印加電圧を制御することによって上記着色光の色を変化させることができ、したがって、同じ箇所、つまり同じ画素で、複数の色を表示することができる。
　　　【０２２０】
　このカラー液晶表示装置の表示色は、一対の偏光板２１，２２の透過軸２１ａ，２２ａおよび２枚の位相差板２３，２４の遅相軸２３ａ，２４ａの向きと、液晶セル１０の両基板１１，１２の近傍における液晶分子の配向方向１１ａ，１２ａと、液晶セル１０のΔｎ・ｄの値および位相差板２３，２４のリタデーションの値と、液晶セル１０への印加電圧値とによって決まる。
　　　【０２２１】
　このカラー液晶表示装置の表示色について説明すると、図１２に示したように、液晶セル１０の液晶分子のツイスト角が２５０°±２０°、表側偏光板２１の透過軸２１ａと前記表側偏光板２１に隣接する第１の位相差板２３の遅相軸２３ａとのずれ角が７５°±２０°であって、
　液晶セル１０の裏側基板１２の近傍における液晶分子の配向方向１２ａを基準方向としたとき、
　表側偏光板２１の透過軸２１ａが前記基準方向に対し表面側から見て液晶セル１０の液晶分子ツイスト方向と逆方向に５０°±１０°の方向、裏偏光板２２の透過軸２２ａが前記基準方向に対し表面側から見て前記液晶分子ツイスト方向と同方向に４５°±１０°の方向、前記第１の位相差板２３の遅相軸２３ａが前記基準方向に対し表面側から見て前記液晶分子ツイスト方向と同方向に２５゜±１０°の方向、前記液晶セル１０に隣接する第２の位相差板２４の遅相軸２４ａが前記基準方向に対し表面側から見て前記液晶分子ツイスト方向と逆方向に１５°±１０°の方向にあり、
　液晶セル１０のΔｎ・ｄの値がほぼ１３９０ｎｍ、第１の位相差板２３のリタデーションの値が１６００ｎｍ±３０ｎｍ、第２の位相差板２４のリタデーションの値が１５５０ｎｍ±３０ｎｍである場合、
　液晶セル１０への印加電圧と表示色の関係は次のようになる。なお、ここで、印加電圧値は実効値であり、表示色は、液晶表示装置の表示を真正面から見たときの色である。
　　　【０２２２】
　　　　（印加電圧）　　　（表示色）
　　　　２．０４ｖ以下　　　　白
　　　２．１５〜２．１７ｖ　　赤
　　　２．１８〜２．２２ｖ　　円
　　　　２．２６ｖ以上　　　　緑
　このように、上記カラー液晶表示装置の表示色は、液晶セル１０に印加する電圧を高くしていくのにともなって、白→赤→青→緑の順に変化する。
　　　【０２２３】
　なお、ここでは、液晶セル１０のΔｎ・ｄの値をほぼ１３９０ｎｍとしたが、このΔｎ・ｄの値が１２５０ｎｍ〜１４５０ｎｍ（１３５０ｎｍ±１００ｎｍ）の範囲であれば、上記白，赤，青，緑の表示色が得られる。
　　　【０２２４】
　しかも、上記カラー液晶表示装置においては、液晶セル１０の液晶層１８の複屈折性は光の入射角によって変化するが、位相差板２３，２４の複屈折性は光の入射角が変化してもほとんど変わらないし、また、前記位相差板２３，２４がいずれも、その遅相軸２３ａ，２４ａであるｘ軸方向の屈折率ｎｘと、ｙ軸方向の屈折率ｎｙおよびｚ軸方向の屈折率ｎｚとが、ｎｘ＞ｎｚ＞ｎｙの関係にある二軸性位相差板であるため、光が液晶セル１０の液晶層１８を垂直に透過したときと斜めに透過したときとの位相差が前記二軸性位相差板２３，２４によって補償されるから、視野角が広くなる。
　　　【０２２５】
　この視野角の広さは、第１の実施例において説明した通りであり、前記位相差板２３に通常の一軸性位相差板を用いたのでは、視角によって表示色がある程度変化してしまうが、二軸性位相差板は光の入射角に対する位相差の変化が小さいため、この二軸性位相差板を用いれば、視角による表示色の変化、つまり表示色の視角依存性がかなり小さくなる。
　　　【０２２６】
　さらに、このカラー液晶表示装置においては、液晶セル１０の液晶層１８の複屈折性は温度によって変化するが、位相差板２３，２４の温度による複屈折性の変化は極く小さいため、液晶セル１０の液晶層１８と位相差板２３，２４との全体の複屈折性は、温度依存性の小さい特性である。
　　　【０２２７】
　そして、この実施例では、２枚の二軸性位相差板２３，２４を用いているため、１枚の二軸性位相差板を用いている上述した第１〜第３の実施例よりも、光が液晶セル１０の液晶層１８を垂直に透過したときと斜めに透過したときとの位相差が２枚の二軸性位相差板２３，２４によってより効果的に補償されるから、視野角がさらに広くなるし、また、液晶セルの液晶層と２枚の位相差板との全体の複屈折性が、さらに温度依存性の小さい特性になるため、温度による表示色の色変化もより小さくすることができる。
　　　【０２２８】
　なお、上記実施例では、液晶セル１０の液晶分子のツイスト角を２５０°±２０°（望ましくは２５０°±１０°）としたが、このツイスト角は、１８０°〜２７０°の範囲であればよい。
　　　【０２２９】
　また、上記実施例のカラー液晶表示装置は、その裏面に反射板２５を設けた反射型のものであるが、この液晶表示装置は、前記反射板２５をなくして透過型装置として使用することも可能である。
　　　【０２３０】
　　［第６の実施例］
　なお、上記第５の実施例では、液晶セル１０のΔｎ・ｄの値を１２５０ｎｍ〜１４５０ｎｍとしたが、この液晶分子のΔｎ・ｄの値は、１４９０ｎｍ以上と大きくしてもよい。
　　　【０２３１】
　図１３は、本発明の第６の実施例を示す、液晶セル１０の液晶分子配向方向と、偏光板２１，２２の透過軸の向きと、位相差板２３，２４の遅相軸の向きとを示す表面側から見た図である。
　　　【０２３２】
　なお、この実施例のカラー液晶表示装置は、液晶セル１０のΔｎ・ｄの値を１４９０ｎｍ以上と大きくしたものであるが、表示装置全体の基本的な構成は図１１に示したものと同じであるから、その説明は省略する。
　　　【０２３３】
　この実施例では、図１３のように、液晶セル１０の裏側基板１２の近傍における液晶分子の配向方向１２ａを、液晶セル１０の横軸Ｓに対し、表面側から見て左回りに３０°±１０°の方向、表側基板１１の近傍における液晶分子の配向方向１１ａを、前記裏側基板１２の近傍における液晶分子の配向方向１２ａに対し、表面側から見て右回りに６０゜±１０°の方向にし、液晶分子を、裏側基板１２側から表側基板１１側に向かい表面側から見て右回りに２４０°±２０゜（望ましくは２４０°±１０°）のツイスト角でツイスト配向させている。
　　　【０２３４】
　また、この実施例では、表側偏光板２１の透過軸２１ａと、裏側偏光板２２の透過軸２２ａとを次のような向きにするとともに、上記２枚の位相差板２３のうちの表側偏光板２１に隣接する第１の位相差板２３の遅相軸２３ａを、前記表側偏光板２１の透過軸２１ａに対して所定角度斜めにずらし、液晶セル１０に隣接する第２の位相差板２４の遅相軸２４ａを次のような向きにしている。
　　　【０２３５】
　すなわち、表側偏光板２１の透過軸２１ａは、液晶セル１０の裏側基板１２の近傍における液晶分子の配向方向１２ａを基準方向（０゜の方向）としたとき、この基準方向に対して、表面側から見て液晶セル１０の液晶分子ツイスト方向と逆方向（左回り）に５０゜±１０゜の方向にあり、裏側偏光板２２の透過軸２２ａは、上記基準方向に対して、表面側から見て前記液晶分子ツイスト方向と逆方向に４５°±１０°の方向にある。
　　　【０２３６】
　また、第１の位相差板２３の遅相軸２３ａは、上記基準方向に対して、表面側から見て前記液晶分子ツイスト方向と同方向（右回り）に３０°±１０°の方向にあり、この位相差板２３の遅相軸２３ａは、表側偏光板２１の透過軸２１ａに対し、表面側から見て前記液晶分子ツイスト方向と逆方向に８０°±２０°ずれている。
　　　【０２３７】
　さらに、第２の位相差板２４の遅相軸２４ａは、上記基準方向に対して、表面側から見て前記液晶分子ツイスト方向と逆方向に２０°±１０゜の方向にある。この第２の位相差板２４の遅相軸２４ａと、前記第１の位相差板２３の遅相軸２３ａとのずれ角は．５０°±２０°である。
　　　【０２３８】
　そして、この実施例では、上記液晶セル１０として、液晶の屈折率異方性Δｎと液晶層厚ｄとの積Δｎ・ｄの値が１４９０ｎｍ以上、例えば、１４９０ｎｍ〜１５９０ｎｍ）のものを用いている。
　　　【０２３９】
　また、この実施例では、上記第１の二軸性位相差板２３として、リタデーションの値が１６００ｎｍ±３０ｎｍ（１５７０ｎｍ〜１６３０ｎｍ）のものを用い、第２の二軸性位相差板２４として、リタデーションの値が１４５０ｎｍ±３０ｎｍ（１４２０ｎｍ〜１５３０ｎｍ）のものを用いている。
　　　【０２４０】
　この実施例のカラー液晶表示装置は、表面側から入射する外光を裏面側の反射板２５で反射させて表示するものであり、液晶セル１０の両基板１１，１２の電極１３，１４間に電圧を印加して表示駆動される。
　　　【０２４１】
　そして、このカラー液晶表示装置においては、その表面側から表側偏光板２１を透過して入射した直線偏光が、第１の位相差板２３と第２の位相差板２４と液晶セル１０とを順次透過する間に、前記位相差板２３，２４の複屈折効果および液晶セル１０の液晶層１８の複屈折効果により偏光状態を変えられて裏側偏光板２２に入射し、この裏側偏光板２２を透過した光が着色光になる。
　　　【０２４２】
　この光の着色について説明すると、液晶表示装置に入射する外光は、表側偏光板２１を透過して直線偏光となった後に、まず第１の位相差板２３に入射するが、この位相差板２３遅相軸２３ａが前記表側偏光板２１の透過軸２１ａに対して所定角度（この実施例では８０゜±２０゜）斜めにずれているため、表側偏光板２１を透過した直線偏光が、第１の位相差板２３を透過する間にそのリタデーションの値に応じた複屈折作用を受け、各波長光がそれぞれ偏光状態の異なる楕円偏光となる。
　　　【０２４３】
　また、上記第１の位相差板２３を透過した光は、第２の位相差板２４に入射し、そのリタデーションの値に応じた複屈折作用を受けて、各波長光の楕円偏光の状態がさらに変化した光になる。
　　　【０２４４】
　さらに、上記第２の位相差板２４を透過した光は、液晶セル１０に入射し、その液晶層１８を透過する間に、この液晶セル１０のΔｎ・ｄの値と液晶分子の配向状態とに応じた複屈折作用を受け、各波長光の楕円偏光の状態がさらに変化した光になる。
　　　【０２４５】
　この場合、この実施例では、液晶セル１０の液晶分子をツイスト角を２４０°±２０゜にしているため、液晶セル１０の液晶層１８の複屈折作用は、上述した第１の実施例よりも大きい。
　　　【０２４６】
　そして、このように、第１の位相差板２３の複屈折効果と第２の位相差板２４の複屈折効果と液晶セル１０の液晶層１８の複屈折効果とによって各波長光がそれぞれ偏光状態の異なる楕円偏光となった光は、裏側偏光板２２に入射し、その光のうち、裏側偏光板２２の透過軸２２ａに沿った成分の光だけがこの裏側偏光板２２を透過して、この透過光（直線偏光）が、その透過光を構成する各波長光の光量比に応じた色の着色光になる。
　　　【０２４７】
　この着色光の色は、一対の偏光板２１，２２の透過軸２１ａ，２２ａおよび２枚の位相差板２３，２４の遅相軸２３ａ，２４ａの向きと、液晶セル１０の両基板１１，１２の近傍における液晶分子の配向方向１１ａ，１２ａと、液晶セル１０のΔｎ・ｄの値と、第１の位相差板２３のリタデーションの値と、第２の位相差板２４のリタデーションの値とを、裏側偏光板２２を透過した光を構成する各波長光の光量比が所望の着色光に対応した比率になるように設定することによって任意に選ぶことができる。
　　　【０２４８】
　また、裏側偏光板２２を透過した着色光は、反射板２５で反射されて上述した光経路と逆の経路で液晶表示装置の上面側に出射し、この着色光によってカラー画像が表示される。
　　　【０２４９】
　この反射板２５で反射された着色光は、位相差板２３，２４および液晶セル１０の液晶層１８の複屈折効果により各波長光がそれぞれ偏光状態の異なる楕円偏光となった光のうちの、裏側偏光板２２の透過軸２２ａに沿った成分の光だけであり、その波長域の域端の極く僅かな波長成分の光は、液晶セル１０と第２の位相差板２４および第１の位相差板２３を再び透過する過程で複屈折されて表側偏光板２１で吸収されるため、表側偏光板２１を透過して出射する着色光は、反射板２５で反射された着色光よりもさらに色純度が良くなった光となる。
　　　【０２５０】
　すなわち、このカラー液晶表示装置は、カラーフィルタを用いずに、２枚の位相差板２３，２４の枚屈折効果と、液晶セル１０の液晶層１８の複屈折効果と、一対の偏光板２１，２２の偏光作用とを利用して光を着色するものであり、したがってカラーフィルタによる光の吸収がないから、光の透過率を高くすることができる。このため、上記カラー液晶表示装置は、反射型のものであっても、非常に明るいカラー表示を得ることができる。
　　　【０２５１】
　また、このカラー液晶表示装置においては、上記位相差板２３，２４の複屈折性はこれら位相差板２３，２４のリタデーションの値によって決まるが、液晶セル１０の液晶層１８の複屈折性が、その両基板１１，１２の電極１３，１４間に印加される電圧に応じた液晶分子の配向状態の変化によって変化し、それに応じて上記裏側偏光板２２に入射する各波長光の偏光状態が変化するため、液晶セル１０への印加電圧を制御することによって上記着色光の色を変化させることができ、したがって、同じ箇所、つまり同じ画素で、複数の色を表示することができる。
　　　【０２５２】
　上記カラー液晶表示装置の表示色は、一対の偏光板２１，２２の透過軸２１ａ，２２ａおよび２枚の位相差板２３，２４の遅相軸２３ａ，２４ａの向きと、液晶セル１０の両基板１１，１２の近傍における液晶分子の配向方向１１ａ，１２ａと、液晶セル１０のΔｎ・ｄの値および位相差板２３，２４のリタデーションの値と、液晶セル１０への印加電圧値とによって決まるが、この実施例のカラー液晶表示装置では、液晶セルのΔｎ・ｄの値を１４９０ｎｍ〜１５９０ｎｍと大きくしているため、その液晶層１８の印加電圧に対する複屈折性の変化が大きく、したがって、表示色数を多くすることができる。
　　　【０２５３】
　このカラー液晶表示装置の表示色について説明すると、図１３に示したように、液晶セル１０の液晶分子のツイスト角が２４０°±２０°、表側偏光板２１の透過軸２１ａと前記表側偏光板２１に隣接する第１の位相差板２３の遅相軸２３ａとのずれ角が８０°±２０°であって、
　液晶セル１０の裏側基板１２の近傍における液晶分子の配向方向１２ａを基準方向としたとき、
　表側偏光板２１の透過軸２１ａが前記基準方向に対し表面側から見て液晶セル１０の液晶分子ツイスト方向と逆方向に５０゜±１０゜の方向、裏偏光板２２の透過軸２２ａが前記基準方向に対し表面側から見て前記液晶分子ツイスト方向と逆方向に４５゜±１０゜の方向、前記第１の位相差板２３の遅相軸２３ａが前記基準方向に対し表面側から見て前記液晶分子ツイスト方向と同方向に３０°±１０°の方向、前記液晶セル１０に隣接する第２の位相差板２４の遅相軸２４ａが前記基準方向に対し表面側から見て前記液晶分子ツイスト方向と逆方向に２０゜±１０°の方向にあり、
　液晶セル１０のΔｎ・ｄの値が１４９０ｎｍ〜１５９０ｎｍ、第１の位相差板２３のリタデーションの値が１６００ｎｍ±３０ｎｍ、第２の位相差板２４のリタデーションの値が１４５０ｎｍ±３０ｎｍである場合、
　液晶セル１０への印加電圧と表示色の関係は次のようになる。なお、ここで、印加電圧値は実効値であり、表示色は、液晶表示装置の表示を真正面から見たときの色である。
　　　【０２５４】
　　　　（印加電圧）　　　（表示色）
　　　　１．３０ｖ以下　　　　白
　　　１．８１〜２．１０ｖ　　黒
　　　２．１１〜２．２０ｖ　　青
　　　２．２１〜２．６０ｖ　　黄緑
　　　　２．６１ｖ以上　　　　ピンク
　図１４は上記カラー液晶表示装置の表示色の変化を示すＣＩＥ色度図であり、このカラー液晶表示装置の表示色は、液晶セル１０に印加する電圧を高くしていくのにともなって、白→黒→青→黄緑→ピンクの順に変化する。
　　　【０２５５】
　また、図１５は、上記カラー液晶表示装置における液晶セル１０への印加電圧と、赤Ｒ，緑Ｇ，青Ｂの各色の波長域の光の出射率と、表示色との関係を示している。
　　　【０２５６】
　この図１５のように、上記カラー液晶表示装置は、“白”を表示させる電圧を印加したときの赤Ｒ，緑Ｇ，青Ｂの各波長域光の出射率がほぼ同じで、かつその値が充分高く、したがって、ほぼ完全な無彩色の明るい“白”を表示できるし、また、“黒”を表示させる電圧を印加したときの赤Ｒ，緑Ｇ，青Ｂの各波長域の光の出射率がほぼ同じで、かつその値が充分低いため、純度の高い“黒”を表示することができる。
　　　【０２５７】
しかも、上記カラー液晶表示装置においては、液晶セル１０の液晶層１８の複屈折性は光の入射角によって変化するが、位相差板２３，２４の複屈折性は光の入射角が変化してもほとんど変わらないし、また、前記位相差板２３，２４がいずれも、その遅相軸２３ａ，２４ａであるｘ軸方向の屈折率ｎｘと、ｙ軸方向の屈折率ｎｙおよびｚ軸方向の屈折率ｎｚとが、ｎｘ＞ｎｚ＞ｎｙの関係にある二軸性位相差板であるため、光が液晶セル１０の液晶層１８を垂直に透過したときと斜めに透過したときとの位相差が前記二軸性位相差板２３，２４によって補償されるから、視野角が広くなる。
　　　【０２５８】
　この視野角の広さは、第１の実施例において説明した通りであり、前記位相差板２３に通常の一軸性位相差板を用いたのでは、視角によって表示色がある程度変化してしまうが、二軸性位相差板は光の入射角に対する位相差の変化が小さいため、この二軸性位相差板を用いれば、視角による表示色の変化、つまり表示色の視角依存性がかなり小さくなる。
　　　【０２５９】
　さらに、このカラー液晶表示装置においては、液晶セル１０の液晶層１８の複屈折性は温度によって変化するが、位相差板２３，２４の温度による複屈折性の変化は極く小さいため、液晶セル１０の液晶層１８と位相差板２３，２４との全体の複屈折性は、温度依存性の小さい特性である。
　　　【０２６０】
　そして、この実施例では、２枚の二軸性位相差板２３，２４を用いているため、１枚の二軸性位相差板を用いている上述した第１〜第３の実施例よりも、光が液晶セル１０の液晶層１８を垂直に透過したときと斜めに透過したときとの位相差が２枚の二軸性位相差板２３，２４によってより効果的に補償されるから、視野角がさらに広くなるし、また、液晶セルの液晶層と２枚の位相差板との全体の複屈折性が、さらに温度依存性の小さい特性になるため、温度による表示色の色変化もより小さくすることができる。
　　　【０２６１】
　なお、上記実施例では、液晶セル１０の液晶分子のツイスト角を２４０°±２０°（望ましくは２４０°±１０°）としたが、このツイスト角は、１８０°〜２７０°の範囲であればよい。
　　　【０２６２】
　また、上記実施例のカラー液晶表示装置は、その裏面に反射板２５を設けた反射型のものであるが、この液晶表示装置は、前記反射板２５をなくして透過型装置として使用することも可能である。
　　　【０２６３】
　　「第７の実施例］
　なお、上記第６の実施例では、液晶セル１０のΔｎ・ｄの値を１４９０ｎｍ〜１５９０ｎｍとしたが、この液晶分子のΔｎ・ｄの値は、１５２０ｎｍ以上とさらに大きくしてもよい。
　　　【０２６４】
　図１６は、本発明の第７の実施例を示す、液晶セル１０の液晶分子配向方向と、偏光板２１，２２の透過軸の向きと、位相差板２３，２４の遅相軸の向きとを示す表面側から見た図である。
　　　【０２６５】
　なお、この実施例のカラー液晶表示装置は、液晶セル１０のΔｎ・ｄの値を１５２０ｎｍ以上と大きくしたものであるが、表示装置全体の基本的な構成は図１１に示したものと同じであるから、その説明は省略する。
　　　【０２６６】
　この実施例では、図１６のように、液晶セル１０の裏側基板１２の近傍における液晶分子の配向方向１２ａを、液晶セル１０の横軸Ｓに対し、表面側から見て左回りに３５°±１０°の方向、表側基板１１の近傍における液晶分子の配向方向１１ａを、前記裏側基板１２の近傍における液晶分子の配向方向１２ａに対し、表面側から見て右回りに７０°±１０°の方向にし、液晶分子を、裏側基板１２側から表側基板１１側に向かい表面側から見て右回りに２５０゜±２０゜（望ましくは２５０°±１０°）のツイスト角でツイスト配向させている。
　　　【０２６７】
　また、この実施例では、表側偏光板２１の透過軸２１ａと、裏側偏光板２２の透過軸２２ａとを次のような向きにするとともに、上記２枚の位相差板２３のうちの表側偏光板２１に隣接する第１の位相差板２３の遅相軸２３ａを、前記表側偏光板２１の透過軸２１ａに対して所定角度斜めにずらし、液晶セル１０に隣接する第２の位相差板２４の遅相軸２４ａを次のような向きにしている。
　　　【０２６８】
　すなわち、表側偏光板２１の透過軸２１ａは、液晶セル１０の裏側基板１２の近傍における液晶分子の配向方向１２ａを基準方向（０°の方向）としたとき、この基準方向に対して、表面側から見て液晶セル１０の液晶分子ツイスト方向と逆方向（左回り）に５０°±１０゜の方向にあり、裏側偏光板２２の透過軸２２ａは、上記基準方向に対して、表面側から見て前記液晶分子ツイスト方向と同方向（右回り）に４５゜±１０゜の方向にある。
　　　【０２６９】
　また、第１の位相差板２３の遅相軸２３ａは、上記基準方向に対して、表面側から見て前記液晶分子ツイスト方向と同方向に２５°±１０°の方向にあり、この位相差板２３の遅相軸２３ａは、表側偏光板２１の透過軸２１ａに対し、表面側から見て前記液晶分子ツイスト方向と逆方向に７５°±２０°ずれている。
　　　【０２７０】
　さらに、第２の位相差板２４の遅相軸２４ａは、上記基準方向に対して、表面側から見て前記液晶分子ツイスト方向と逆方向に１５゜±１０°の方向にある。この第２の位相差板２４の遅相軸２４ａと、前記第１の位相差板２３の遅相軸２３ａとのずれ角は４０°±２０°である。
　　　【０２７１】
　そして、この実施例では、上記液晶セル１０として、液晶の屈折率異方性Δｎと液晶層厚ｄとの積Δｎ・ｄの値が１５３０ｎｍ以上、例えば、１５３０ｎｍ〜１７３０ｎｍ）のものを用いている。
　　　【０２７２】
　また、この実施例では、上記第１の二軸性位相差板２３として、リタデーションの値が１６００ｎｍ±３０ｎｍ（１５７０ｎｍ〜１６３０ｎｍ）のものを用い、第２の二軸性位相差板２４として、リタデーションの値が１５５０ｎｍ±３０ｎｍ（１５２０ｎｎ〜１５８０ｎｍ）のものを用いている。
　　　【０２７３】
　この実施例のカラー液晶表示装置は、表面側から入射する外光を裏面側の反射板２５で反射させて表示するものであり、液晶セル１０の両基板１１，１２の電極１３，１４間に電圧を印加して表示駆動される。
　　　【０２７４】
　そして、このカラー液晶表示装置においては、その表面側から表側偏光板２１を透過して入射した直線偏光が、第１の位相差板２３と第２の位相差板２４と液晶セル１０とを順次透過する間に、前記位相差板２３，２４の複屈折効果および液晶セル１０の液晶層１８の複屈折効果により偏光状態を変えられて裏側偏光板２２に入射し、この裏側偏光板２２を透過した光が着色光になる。
　　　【０２７５】
　この光の着色について説明すると、液晶表示装置に入射する外光は、表側偏光板２１を透過して直線偏光となった後に、まず第１の位相差板２３に入射するが、この位相差板２３遅相軸２３ａが前記表側偏光板２１の透過軸２１ａに対して所定角度（この実施例では７５°±２０゜）斜めにずれているため、表側偏光板２１を透過した直線偏光が、第１の位相差板２３を透過する間にそのリタデーションの値に応じた複屈折作用を受け、各波長光がそれぞれ偏光状態の異なる楕円偏光となる。
　　　【０２７６】
　また、上記第１の位相差板２３を透過した光は、第２の位相差板２４に入射し、そのリタデーションの値に応じた複屈折作用を受けて、各波長光の楕円偏光の状態がさらに変化した光になる。
　　　【０２７７】
　さらに、上記第２の位相差板２４を透過した光は、液晶セル１０に入射し、その液晶層１８を透過する間に、この液晶セル１０のΔｎ・ｄの値と液晶分子の配向状態とに応じた複屈折作用を受け、各波長光の楕円偏光の状態がさらに変化した光になる。
　　　【０２７８】
　この場合、この実施例では、液晶セル１０の液晶分子をツイスト角を２５０゜±２０゜にしているため、液晶セル１０の液晶層１８の複屈折作用は、上述した第１の実施例よりも大きい。
　　　【０２７９】
　そして、このように、第１の位相差板２３の複屈折効果と第２の位相差板２４の複屈折効果と液晶セル１０の液晶層１８の複屈折効果とによって各波長光がそれぞれ偏光状態の異なる楕円偏光となった光は、裏側偏光板２２に入射し、その光のうち、裏側偏光板２２の透過軸２２ａに沿った成分の光だけがこの裏側偏光板２２を透過して、この透過光（直線偏光）が、その透過光を構成する各波長光の光量比に応じた色の着色光になる。
　　　【０２８０】
　この着色光の色は、一対の偏光板２１，２２の透過軸２１ａ，２２ａおよび２枚の位相差板２３，２４の遅相軸２３ａ，２４ａの向きと、液晶セル１０の両基板１１，１２の近傍における液晶分子の配向方向１１ａ，１２ａと、液晶セル１０のΔｎ−ｄの値と、第１の位相差板２３のリタデーションの値と、第２の位相差板２４のリタデーションの値とを、裏側偏光板２２を透過した光を構成する各波長光の光量比が所望の着色光に対応した比率になるように設定することによって任意に選ぶことができる。
　　　【０２８１】
　また、裏側偏光板２２を透過した着色光は、反射板２５で反射されて上述した光経路と逆の経路で液晶表示装置の上面側に出射し、この着色光によってカラー画像が表示される。
　　　【０２８２】
　この反射板２５で反射された着色光は、位相差板２３，２４および液晶セル１０の液晶層１８の複屈折効果により各波長光がそれぞれ偏光状態の異なる楕円偏光となった光のうちの、裏側偏光板２２の透過軸２２ａに沿った成分の光だけであり、その波長域の域端の極く僅かな波長成分の光は、液晶セル１０と第２の位相差板２４および第１の位相差板２３を再び透過する過程で複屈折されて表側偏光板２１で吸収されるため、表側偏光板２１を透過して出射する着色光は、反射板２５で反射された着色光よりもさらに色純度が良くなった光となる。
　　　【０２８３】
　すなわち、このカラー液晶表示装置は、カラーフィルタを用いずに、２枚の位相差板２３，２４の複屈折効果と、液晶セル１０の液晶層１８の複屈折効果と、一対の偏光板２１，２２の偏光作用とを利用して光を着色するものであり、したがってカラーフィルタによる光の吸収がないから、光の透過率を高くすることができる。このため、上記カラー液晶表示装置は、反射型のものであっても、非常に明るいカラー表示を得ることができる。
　　　【０２８４】
　また、このカラー液晶表示装置においては、上記位相差板２３，２４の複屈折性はこれら位相差板２３，２４のリタデーションの値によって決まるが、液晶セル１０の液晶層１８の複屈折性が、その両基板１１，１２の電極１３，１４間に印加される電圧に応じた液晶分子の配向状態の変化によって変化し、それに応じて上記裏側偏光板２２に入射する各波長光の偏光状態が変化するため、液晶セル１０への印加電圧を制御することによって上記着色光の色を変化させることができ、したがって、同じ箇所、つまり同じ画素で、複数の色を表示することができる。
　　　【０２８５】
　上記カラー液晶表示装置の表示色は、一対の偏光板２１，２２の透過軸２１ａ，２２ａおよび２枚の位相差板２３，２４の遅相軸２３ａ，２４ａの向きと、液晶セル１０の両基板１１，１２の近傍における液晶分子の配向方向１１ａ，１２ａと、液晶セル１０のΔｎ・ｄの値および位相差板２３，２４のリタデーションの値と、液晶セル１０への印加電圧値とによって決まるが、この実施例のカラー液晶表示装置では、液晶セルのΔｎ・ｄの値を１５３０ｎｍ〜１７３０ｎｍと大きくしているため、その液晶層１８の印加電圧に対する複屈折性の変化が大きく、したがって、表示色数を多くすることができる。
　　　【０２８６】
　このカラー液晶表示装置の表示色について説明すると、図１６に示したように、液晶セル１０の液晶分子のツイスト角が２５０°±２０゜、表側偏光板２１の透過軸２１ａと前記表側偏光板２１に隣接する第１の位相差板２３の遅相軸２３ａとのずれ角が７５°±２０°であって、
　液晶セル１０の裏側基板１２の近傍における液晶分子の配向方向１２ａを基準方向としたとき、
　表側偏光板２１の透過軸２１ａが前記基準方向に対し表面側から見て液晶セル１０の液晶分子ツイスト方向と逆方向に５０°±１０゜の方向、裏偏光板２２の透過軸２２ａが前記基準方向に対し表面側から見て前記液晶分子ツイスト方向と同方向に４５゜±１０゜の方向、前記第１の位相差板２３の遅相軸２３ａが前記基準方向に対し表面側から見て前記液晶分子ツイスト方向と同方向に２５°±１０゜の方向、前記液晶セル１０に隣接する第２の位相差板２４の遅相軸２４ａが前記基準方向に対し表面側から見て前記液晶分子ツイスト方向と逆方向に１５゜±１０°の方向にあり、
　液晶セル１０のΔｎ・ｄの値が１５３０ｎｍ〜１７３０ｎｍ、第１の位相差板２３のリタデーションの値が１６００ｎｍ±３０ｎｍ、第２の位相差板２４のリタデーションの値が１５５０ｎｍ±３０ｎｍである場合、
　液晶セル１０への印加電圧と表示色の関係は次のようになる。なお、ここで、印加電圧値は実効値であり、表示色は、液晶表示装置の表示を真正面から見たときの色である。
　　　【０２８７】
　　　　（印加電圧）　　　（表示色）
　　　　１．８０ｖ以下　　　　黒
　　　１．８１〜２．１０ｖ　　白
　　　２．１１〜２．２０ｖ　　赤
　　　２．２１〜２．４０ｖ　　青
　　　　２．４１ｖ以上　　　　緑
　このように、上記カラー液晶表示装置の表示色は、液晶セル１０に印加する電圧を高くしていくのにともなって、黒→白→赤→緑→青の順に変化するため、１つの画素で、光の三原色である赤，緑，青と、白と黒とを表示することができ、したがって、フルカラー画像の表示が可能である。
　　　【０２８８】
　しかも、上記カラー液晶表示装置においては、液晶セル１０の液晶層１８の複屈折性は光の入射角によって変化するが、位相差板２３，２４の複屈折性は光の入射角が変化してもほとんど変わらないし、また、前記位相差板２３，２４がいずれも、その遅相軸２３ａ，２４ａであるｘ軸方向の屈折率ｎｘと、ｙ軸方向の屈折率ｎｙおよびｚ軸方向の屈折率ｎｚとが、ｎｘ＞ｎｚ＞ｎｙの関係にある二軸性位相差板であるため、光が液晶セル１０の液晶層１８を垂直に透過したときと斜めに透過したときとの位相差が前記二軸性位相差板２３，２４によって補償されるから、視野角が広くなる。
　　　【０２８９】
　この視野角の広さは、第１の実施例において説明した通りであり、前記位相差板２３に通常の一軸性位相差板を用いたのでは、視角によって表示色がある程度変化してしまうが、二軸性位相差板は光の入射角に対する位相差の変化が小さいため、この二軸性位相差板を用いれば、視角による表示色の変化、つまり表示色の視角依存性がかなり小さくなる。
　　　【０２９０】
　さらに、このカラー液晶表示装置においては、液晶セル１０の液晶層１８の複屈折性は温度によって変化するが、位相差板２３，２４の温度による複屈折性の変化は極く小さいため、液晶セル１０の液晶層１８と位相差板２３，２４との全体の複屈折性は、温度依存性の小さい特性である。
　　　【０２９１】
　そして、この実施例では、２枚の二軸性位相差板２３，２４を用いているため、１枚の二軸性位相差板を用いている上述した第１〜第３の実施例よりも、光が液晶セル１０の液晶層１８を垂直に透過したときと斜めに透過したときとの位相差が２枚の二軸性位相差板２３，２４によってより効果的に補償されるから、視野角がさらに広くなるし、また、液晶セルの液晶層と２枚の位相差板との全体の複屈折性が、さらに温度依存性の小さい特性になるため、温度による表示色の色変化もより小さくすることができる。
　　　【０２９２】
　なお、上記実施例では、一対の偏光板２１，２２の透過軸２１ａ，２２ａおよび位相差板２３の遅相軸２３ａを、図１６に示すように設定したが、これらの軸方向は、例えば次のように設定してもよい。
　　　【０２９３】
　図１７は、上記第７の実施例のカラー液晶表示装置における、偏光板２１，２２の透過軸２１ａ，２２ａおよび位相差板２３の遅相軸２３ａの向きの他の設定例を示す表面側から見た図である。
　　　【０２９４】
　この例では、液晶セル１０の両基板１１，１２の近傍における液晶分子の配向方向１１ａ，１２ａと液晶分子のツイスト角およびツイスト方向と、表側偏光板２１の透過軸２１ａの向きと、第１の位相差板２３の遅相軸２３ａおよび第２の位相差板２４の遅相軸２４ａの向きは図１６に示した実施例と同じにし、裏側偏光板２２の透過軸２１ａの向きを、基準方向（液晶セル１０の裏側基板１２の近傍における液晶分子の配向方向１２ａ）に対して、液晶セル１０の液晶分子ツイスト方向と逆方向（左回り）に４５°±１０゜の方向にしている。
　　　【０２９５】
　なお、上記液晶セル１０のΔｎ・ｄの値は１５３０ｎｍ〜１７３０ｎｍ、第１の二軸性位相差板２３のリタデーションの値は１６００ｎｍ±３０ｎｍ、第２の二軸性位相差板２４のリタデーションの値は１５５０ｎｍ±３０ｎｍである。
　　　【０２９６】
　このように、液晶セル１０の液晶分子のツイスト角が２５０゜±２０゜、表側偏光板２１の透過軸２１ａと位相差板２３の遅相軸２３ａとのずれ角が７５゜±２０°であって、
　液晶セル１０の裏側基板１２の近傍における液晶分子の配向方向１２ａを基準方向としたとき、
　表側偏光板２１の透過軸２１ａが前記基準方向に対し表面側から見て液晶セル１０の液晶分子ツイスト方向と逆方向に５０゜±１０゜の方向、裏偏光板２２の透過軸２２ａが前記基準方向に対し表面側から見て前記液晶分子ツイスト方向と逆方向に４５゜±１０°の方向、表側偏光板２１に隣接する第１の位相差板２３の遅相軸２３ａが前記基準方向に対し表面側から見て前記液晶分子ツイスト方向と同方向に２５゜±１０゜の方向、裏側偏光板２２に隣接する第２の位相差板２４の遅相軸２４ａが前記基準方向に対し表面側から見て前記液晶分子ツイスト方向と同方向に１５゜±１０゜の方向にあり、
　液晶セル１０のΔｎ・ｄの値が１５３０ｎｍ〜１７３０ｎｍ、第１の位相差板２３のリタデーションの値が１６００ｎｍ±３０ｎｍ、第２の二軸性位相差板２４のリタデーションの値が１５５０ｎｍ±３０ｎｍである場合、
　液晶セル１０への印加電圧と表示色の関係は次のようになる。なお、ここで、印加電圧値は実効値であり、表示色は、液晶表示装置の表示を真正面から見たときの色である。
　　　【０２９７】
　　　　（印加電圧）　　　（表示色）
　　　　１．９０ｖ以下　　　　白
　　　１．９１〜２．１０ｖ　　黒
　　　２．１１〜２．２０ｖ　　青
　　　２．２１〜２．３０ｖ　　緑
　　　　２．３１ｖ以上　　　　赤
　すなわち、この例では、表示色が、液晶セル１０に印加する電圧を高くしていくのにともなって、白→黒→青→緑→赤の順に変化するため、１つの画素で、光の三原色である赤，緑，青と、白と黒とを表示することができ、したがって、フルカラー画像の表示が可能である。
　　　【０２９８】
　　なお、上記実施例では、液晶セル１０の液晶分子のツイスト角を２５０°±２０°（望ましくは２５０°±１０°）としたが、このツイスト角は、１８０°〜２７０°の範囲であればよい。
　　　【０２９９】
　また、上記実施例のカラー液晶表示装置は、その裏面に反射板２５を設けた反射型のものであるが、この液晶表示装置は、前記反射板２５をなくして透過型装置として使用することも可能である。
　　　【０３００】
　　［第８の実施例］
　次に、本発明の第８の実施例を図１８および図１９を参照して説明する。この実施例のカラー液晶表示装置は、反射型表示装置として使用されるものであって、液晶セルと偏光板と二軸性位相差板および反射板を備え、かつ前記偏光板の数を１枚にしたものである。
　　　【０３０１】
　図１８はカラー液晶表示装置の断面図であり、この液晶表示装置は、液晶セル１０と、この液晶セル１０の表面側（図において上面側）に配置された１枚の偏光板２１と、この偏光板２１と前記液晶セル１０との間に配置された１枚の位相差板２３と、前記液晶セル１０の裏面側に配置された反射板２５とからなっている。
　　　【０３０２】
　上記液晶セル１０は、例えば、液晶分子のツイスト角が８０°〜１１０°のものであり、この実施例では、液晶分子のツイスト角をほぼ９０°にしている。なお、この液晶セル１０の基本的な構成は上述した第１の実施例における液晶セルと同じであるから、重複する説明は図に同符号を付して省略する。
　　　【０３０３】
　また、上記位相差板２３は、その遅相軸であるｘ軸方向の屈折率ｎｘと、ｙ軸方向の屈折率ｎｙおよびｚ軸方向の屈折率ｎｚとが、ｎｘ＞ｎｚ＞ｎｙの関係にある二軸性位相板である。
　　　【０３０４】
　図１９は、液晶セル１０の液晶分子配向方向と、偏光板２１の透過軸の向きと、位相差板２３の遅相軸の向きとを示す表面側から見た図である。
　　　【０３０５】
　この図１９のように、液晶セル１０の裏側基板１２の近傍における液晶分子の配向方向１２ａは、液晶セル１０の横軸Ｓに対し、表面側から見て右回りにほぼ４５゜の方向、表側基板１１の近傍における液晶分子の配向方向１１ａは、前記裏側基板１２の近傍における液晶分子の配向方向１２ａに対し、表面側から見て左回りにほぼ９０°の方向にあり、液晶分子は、裏側基板１２側から表側基板１１側に向かい、表面側から見て右回りにほぼ９０°のツイスト角でツイスト配向している。
　　　【０３０６】
　また、上記偏光板２１の透過軸２１ａは、液晶セル１０の表側基板１１の近傍における液晶分子の配向方向１１ａに対してほぼ直交しており、位相差板２３の遅相軸２３ａは、前記偏光板２１の透過軸２１ａに対して所定角度斜めにずらしてある。なお、この実施例では、位相差板２３の遅相軸２３ａを、表偏光板２１の透過軸２１ａに対して、表面側から見て液晶セル１０の液晶分子ツイスト方向と逆方向（左回り）にほぼ４５°ずらしている。
　　　【０３０７】
　この実施例のカラー液晶表示装置は、表面側から入射する外光を裏面側の反射板２５で反射させて表示するものであり、液晶セル１０の両基板１１，１２の電極１３，１４間に電圧を印加して表示駆動される。
　　　【０３０８】
　そして、このカラー液晶表示装置においては、その表面側から表側偏光板２１を透過して入射した直線偏光が、位相差板２３と液晶セル１０とを順次透過し、さらに反射板２５で反射されて、前記液晶セル１０と位相差板２３とを再び透過する間に、前記位相差板２３の複屈折効果および液晶セル１０の液晶層１８の複屈折効果により偏光状態を変えられて前記偏光板２１に入射し、この偏光板２１を透過した光が着色光になる。
　　　【０３０９】
　この光の着色について説明すると、液晶表示装置に入射する外光は、偏光板２１を透過して直線偏光となった後に、位相差板２３に入射するが、この位相差板２３遅相軸２３ａが前記偏光板２１の透過軸２１ａに対して所定角度（この実施例ではほぼ４５°）斜めにずれているため、偏光板２１を透過した直線偏光が、位相差板２３を透過する間にそのリタデーションの値に応じた複屈折作用を受け、各波長光がそれぞれ偏光状態の異なる楕円偏光となり、その光が、液晶セル１０に入射の液晶層１８を透過する間に、この液晶セル１０のΔｎ・ｄの値と液晶分子の配向状態とに応じた複屈折作用を受けて、各波長光の楕円偏光の状態がさらに変化した光になる。
　　　【０３１０】
　そして、液晶セル１０を透過した光は、反射板２５で反射され、再び液晶セル１０の液晶層１８と位相差板２３とを透過する間に、それらの複屈折作用によりさらに各波長光の楕円偏光の状態が変化した光になって前記偏光板２１に入射し、その光のうち、前記偏光板２１の透過軸２１ａに沿った成分の光だけがこの前記偏光板２１を透過して、この透過光（直線偏光）が、その透過光を構成する各波長光の光量比に応じた色の着色光になる。
　　　【０３１１】
　この着色光の色は、偏光板２１の透過軸２１ａおよび位相差板２３の遅相軸２３ａの向きと、液晶セル１０の両基板１１，１２の近傍における液晶分子の配向方向１１ａ，１２ａと、液晶セル１０のΔｎ・ｄの値と、位相差板２３のリタデーションの値とを、前記偏光板２１を透過した光を構成する各波長光の光量比が所望の着色光に対応した比率になるように設定することによって任意に選ぶことができる。
　　　【０３１２】
　すなわち、このカラー液晶表示装置は、カラーフィルタを用いずに、位相差板の複屈折効果と、液晶セルの液晶層の複屈折効果と、偏光板の偏光作用とを利用して光を着色するものであり、したがってカラーフィルタによる光の吸収がないから、反射型のものであっても、光の透過率を高くして明るいカラー表示を得ることができる。
　　　【０３１３】
　そして、このカラー液晶表示装置においても、液晶セルの液晶層の複屈折性が、その両基板の電極間に印加される電圧に応じた液晶分子の配向状態の変化によって変化するため、液晶セルへの印加電圧を制御することによって上記着色光の色を変化させることができ、したがって、同じ箇所で複数の色を表示することができる。
　　　【０３１４】
　また、このカラー液晶表示装置においても、液晶セル１０の液晶層１８の複屈折性は光の入射角によって変化するが、位相差板２３の複屈折性は光の入射角が変化してもほとんど変わらないし、また、前記位相差板２３が、遅相軸であるｘ軸方向の屈折率ｎｘと、ｙ軸方向の屈折率ｎｙおよびｚ軸方向の屈折率ｎｚとが、ｎｘ＞ｎｚ＞ｎｙの関係にある二軸性位相差板であるため、光が液晶セル１０の液晶層１８を垂直に透過したときと斜めに透過したときとの位相差が前記二軸性位相差板２３によって補償されるから、視野角が広くなる。
　　　【０３１５】
　さらに、このカラー液晶表示装置においても、液晶セル１０の液晶層１８の複屈折性は温度によって変化するが、位相差板２３の温度による複屈折性の変化は極く小さいため、液晶セル１０の液晶層１８と位相差板２３との全体の複屈折性は、温度依存性の小さい特性であり、したがって、温度による表示色の色変化も小さくなる。
　　　【０３１６】
　また、この実施例のカラー液晶表示装置は、液晶セル１０の表面側だけに１枚の偏光板２１を配置して、この偏光板２１に、液晶表示装置への入射光を直線偏光にするための偏光子と、位相差板２３および液晶セル１０を透過した楕円偏光光のうちのある成分の光だけを透過させて着色光を得るための検光子とを兼ねさせているため、液晶セルの表面側と裏面側とにそれぞれ偏光板を配置する場合に比べて、液晶表示装置の価格を低減することができる。
　　　【０３１７】
　なお、上記実施例では、液晶セル１０の液晶分子のツイスト角を８０°〜１１０°（図１９ではほぼ９０°）としたが、この液晶分子のツイスト角は、１８０°〜２７０°でも、また、１１０°〜１３０°でもよい。
　　　【０３１８】
　また、上記実施例では、１枚の二軸性位相差板２３を用いているが、この二軸性位相差板は２枚としてもよく、その場合は、偏光板２１と液晶セル１０との間、および液晶セル１０と反射板２５との間にそれぞれ１枚ずつ位相差板を配置しても、また、偏光板２１と液晶セル１０との間に２枚の位相差板を互いに重ねて配置してもよい。
　　　【０３１９】
　なお、上述した第１〜第８の実施例では、液晶セル１０として、単純マトリックス型のものを用いたが、この液晶セル１０は、ＴＦＴ（薄膜トランジスタ）、またはＭＩＭ等の２端子の非線形抵抗素子を能動素子とするアクティブマトリックス型のものであっても、また、時分割駆動されるセグメント表示型のものであってもよい。
　　　【０３２０】
　　【発明の効果】
　本発明のカラー液晶表示装置は、
　内面に電極が形成された一対の基板間に液晶分子がツイスト配向したネマティック液晶層を設けてなる液晶セルと、前記液晶セルをはさんでその表面側と裏面側とに配置された一対の偏光板と、前記一対の偏光板の間に配置された位相差板とを備え、
　かつ、前記位相差板は、その遅相軸であるＸ軸方向の屈折率ｎｘと、ｙ軸方向の屈折率ｎｙおよびｚ軸方向の屈折率ｎｚとが、ｎｘ＞ｎｚ＞ｎｙの関係にある二軸性位相差板であって、
　前記一対の偏光板の透過軸および前記位相差板の遅相軸の向きと前記液晶セルの基板近傍における液晶分子の配向方向とが、
　一方の偏光板を透過して入射した光が前記位相差板の複屈折効果と前記液晶セルの液晶層の複屈折効果とによって各波長光がそれぞれ偏光状態の異なる楕円偏光となり、かつ、その光のうちの他方の偏光板を透過した光の各波長光の光量比が所望の着色光に対応した比率になるように設定されていることを特徴とするものであるから、
　カラーフィルタを用いずに明るいカラー表示を得るとともに、同じ箇所で複数の色を表示することができ、しかも、視野角を広くし、さらに温度による表示色の色変化も小さくすることができる。
　　　【０３２１】
　また、反射型液晶表示装置において、１枚の二軸性位相差板を用いる場合、この位相差板を、表側偏光板と液晶セルとの間に配置し、少なくとも、前記表側偏光板の透過軸と位相差板の遅相軸とを所定角度斜めにずらしておけば、表側偏光板を透過して入射した直線偏光が、まず位相差板を透過する過程でその複屈折効果により偏光状態を変えられ、その光が液晶セルを透過する過程で液晶層の複屈折効果によりさらに偏光状態を変えられて裏側偏光板に入射するため、上述した着色光を得ることができる。
　　　【０３２２】
　また、反射型液晶表示装置において、２枚の二軸性位相差板を用いる場合、表側偏光板と液晶セルとの間と、裏側偏光板と液晶セルとの間とに、それぞれ１枚ずつ位相差板を配置し、少なくとも、表側偏光板の透過軸とこの偏光板に隣接する位相差板の遅相軸とを所定角度斜めにずらしておけば、表側偏光板を透過して入射した直線偏光が、まず表側偏光板に隣接する位相差板を透過する過程でその複屈折効果により偏光状態を変えられ、その光が液晶セルを透過する過程で液晶層の複屈折効果によりさらに偏光状態を変えられ、さらにその光が裏側偏光板に隣接する位相差板を透過する過程でその複屈折効果により偏光状態を変えられて裏側偏光板に入射するため、上述した着色光を得ることができる。
　　　【０３２３】
　また、反射型液晶表示装置において、２枚の二軸性位相差板を用いる場合、表側偏光板と液晶セルとの間に２枚の二軸性位相差板を互いに重ねて配置し、少なくとも、表側偏光板の透過軸と２枚の位相差板のうちの前記表側偏光板に隣接する位相差板の遅相軸とを所定角度斜めにずらしておけば、表側偏光板を透過して入射した直線偏光が、まず表側偏光板に隣接する位相差板を透過する過程でその複屈折効果により偏光状態を変えられ、その光が液晶セルに隣接する位相差板を透過する過程でその複屈折効果によりさらに偏光状態を変えられ、さらにその光が液晶セルを透過する過程で液晶層の複屈折効果により偏光状態を変えられて裏側偏光板に入射するため、上述した着色光を得ることができる。
　　　【０３２４】
　上記２枚の二軸性位相差板を用いる液晶表示装置においては、光が液晶セルの液晶層を垂直に透過したときと斜めに透過したときとの位相差が２枚の二軸性位相差板によってより効果的に補償されるから、視野角がさらに広くなるし、また、液晶セルの液晶層と２枚の位相差板との全体の複屈折性が、さらに温度依存性の小さい特性になるため、温度による表示色の色変化もより小さくなる。
　　　【０３２５】
　さらに、表側偏光板と液晶セルとの間に２枚の二軸性位相差板を互いに重ねて配置した反射型液晶表示装置において、液晶セルの液晶分子のツイスト角が１８０°〜２７０°である場合、前記液晶セルのΔｎ・ｄの値を１４９０ｎｍ以上と大きくすれば、その液晶層の印加電圧に対する複屈折性の変化が大きくなるため、表示色数を多くすることができる。
　　　【０３２６】
【図面の簡単な説明】
　　【図１】
　本発明の第１の実施例を示すカラー液晶表示装置の構成図。
　　【図２】
　第１の実施例における液晶セルの液晶分子配向方向と、偏光板の透過軸の向きと、位相差板の遅相軸の向きとを示す表面側から見た図。
　　【図３】
　二軸性位相差板の斜視図。
　　【図４】
　二軸性位相差板における光入射角が０°の場合の位相差Ｒｘｙ（０）と光入射角がθ゜の場合の位相差Ｒｘｙ（θ）との比Ｒｘｙ（θ）／Ｒｘｙ（０）の光入射角による変化を、通常の一軸性位相差板と比較して示す図。
　　【図５】
　第１の実施例のカラー液晶表示装置と、位相差板をｎｘ＞ｎｙ＝ｎｚの通常の一軸性位相差板に置き換えた比較装置との視角と表示色の色差（ΔＥ＊ａｂ）との関係を示す図。
　　【図６】
　本発明の第２の実施例を示す、液晶セルの液晶分子配向方向と、偏光板の透過軸の向きと、位相差板の遅相軸の向きとを示す表面側から見た図。
　　【図７】
　本発明の第３の実施例を示す、液晶セルの液晶分子配向方向と、偏光板の透過軸の向きと、位相差板の遅相軸の向きとを示す表面側から見た図。
　　【図８】
　第３の実施例における偏光板の透過軸および位相差板の遅相軸の向きの他の設定例を示す表面側から見た図。
　　【図９】
　本発明の第４の実施例を示すカラー液晶表示装置の断面図。
　　【図１０】
　第４の実施例における液晶セルの液晶分子配向方向と、偏光板の透過軸の向きと、位相差板の遅相軸の向きとを示す表面側から見た図。
　　【図１１】
　本発明の第５の実施例を示すカラー液晶表示装置の断面図。
　　【図１２】
　第５の実施例における液晶セルの液晶分子配向方向と、偏光板の透過軸の向きと、位相差板の遅相軸の向きとを示す表面側から見た図。
　　【図１３】
　本発明の第６の実施例を示す、液晶セルの液晶分子配向方向と、偏光板の透過軸の向きと、位相差板の遅相軸の向きとを示す表面側から見た図。
　　【図１４】
　第６の実施例のカラー液晶表示装置の表示色の変化を示すＣＩＥ色度図。
　　【図１５】
　第６の実施例のカラー液晶表示装置における液晶セルへの印加電圧と、赤，緑，青の各色の波長域の光の出射率と、表示色との関係を示す図。
　　【図１６】
　本発明の第７の実施例を示す、液晶セルの液晶分子配向方向と、偏光板の透過軸の向きと、位相差板の遅相軸の向きとを示す表面側から見た図。
　　【図１７】
　第７の実施例における偏光板の透過軸および位相差板の遅相軸の向きの他の設定例を示す表面側から見た図。
　　【図１８】
　本発明の第８の実施例を示すカラー液晶表示装置の断面図。
　　【図１９】
　第８の実施例における液晶セルの液晶分子配向方向と、偏光板の透過軸の向きと、位相差板の遅相軸の向きとを示す表面側から見た図。
　　【符号の説明】
　１０…液晶セル
　１１，１２…基板
　１１ａ…表側基板の近傍における液晶分子配向方向
　１２ａ…裏側基板の近傍における液晶分子配向方向
　１３，１４…電極
　１５，１６…配向膜
　１８…液晶層
　２１，２２…偏光板
　２１ａ，２２ａ…透過軸
　２３，２４…二軸性位相差板
　２３ａ，２４ａ…遅相軸
　２５…反射板